(57)【要約】【課題】ソース機器との接続に複数のケーブルが必要な表示装置において、同じ外観のケーブルを用いても、ケーブルを容易に正しく接続することを可能にする。【解決手段】ＡＶ機器（表示装置１００又はソース機器１０１）は、１つの表示パネル１０に表示させる映像の映像信号を、複数のケーブル（例えば４本のＨＤＭＩケーブル１０２ａ〜１０２ｄ）に分けて受信又は送信する。このＡＶ機器は、上記複数のケーブルで伝送されるそれぞれの映像信号が示す映像が、表示パネル１０上で所定の配列になるように、並べ替えを行う並替部を備える。【選択図】図１
2013153410.tif 000002
【特許請求の範囲】
【請求項１】
１つの表示パネルに表示させる映像の映像信号を、複数のケーブルに分けて受信又は送信するＡＶ機器であって、
前記複数のケーブルで伝送されるそれぞれの映像信号が示す映像が、前記表示パネル上で所定の配列になるように、並べ替えを行う並替部を備えたことを特徴とするＡＶ機器。
【請求項２】
前記ＡＶ機器は、前記表示パネルを備えた表示装置であり、前記表示パネルに表示させる映像の映像信号を出力するソース機器に、前記複数のケーブルで接続されており、
前記並替部は、前記複数のケーブルのそれぞれを接続するための複数の入力端子と、前記表示パネルの表示領域を前記ケーブルの数と同じ数で分割してなる分割表示領域のそれぞれに映像信号を入力するための複数の端子とについて、前記複数の入力端子と前記複数の端子の間の接続関係を切り替えることで、前記並べ替えを行うことを特徴とする請求項１に記載のＡＶ機器。
【請求項３】
前記並替部は、前記複数のケーブルで伝送されるそれぞれの映像信号が示す映像に対する前記所定の配列を示す情報を、前記ソース機器から受信し、受信した前記所定の配列を示す情報に従い、前記並べ替えを行うことを特徴とする請求項２に記載のＡＶ機器。
【請求項４】
前記並替部は、前記分割表示領域でそれぞれ異なる色を有するテスト画像を表示するために前記ソース機器から伝送されたそれぞれの映像信号に対し、前記テスト画像が有する色を検出し、検出したそれぞれの色が前記所定の配列となるように、前記並べ替えを行うことを特徴とする請求項２に記載のＡＶ機器。
【請求項５】
前記表示パネルは、タッチパネルであり、
前記並替部は、前記複数のケーブルで前記ソース機器から伝送されたそれぞれの映像信号が示す映像について、前記タッチパネルに表示させた状態で、前記所定の配列になるようなユーザによる映像入れ替え操作を前記タッチパネルで受け付け、受け付けた映像入れ替え操作に従い、前記並べ替えを行うことを特徴とする請求項２に記載のＡＶ機器。
【請求項６】
前記ケーブルはＨＤＭＩケーブルであり、前記入力端子はＨＤＭＩ入力端子であることを特徴とする請求項２〜５のいずれか１項に記載のＡＶ機器。
【請求項７】
前記ケーブルはＨＤＭＩケーブルであり、前記入力端子はＨＤＭＩ入力端子であり、
前記並替部は、前記複数のケーブルで伝送されるそれぞれの映像信号が示す映像に対する前記所定の配列を示す情報を、ＨＤＭＩ規格におけるＣＥＣ又はＨＥＣのメッセージにより前記ソース機器から受信し、受信した前記所定の配列を示す情報に従い、前記並べ替えを行うことを特徴とする請求項２に記載のＡＶ機器。
【請求項８】
前記所定の配列を示す情報は、前記表示装置が前記ソース機器に対してＣＥＣコマンド＜Vendor Specific Commands＞を用いて要求することにより、前記ソース機器から受信することを特徴とする請求項７に記載のＡＶ機器。
【請求項９】
前記所定の配列を示す情報は、前記表示装置が前記ソース機器に対してＣＥＣコマンド＜Device OSD Name Transfer＞を用いて要求することにより、ＯＳＤ名として前記ソース機器から受信することを特徴とする請求項７に記載のＡＶ機器。
【請求項１０】
前記ＡＶ機器は、前記表示パネルに表示させる映像の映像信号を出力するソース機器であり、前記表示パネルを備えた表示装置に、前記複数のケーブルで接続されており、
前記並替部は、前記表示パネルに表示させる映像の映像信号を前記ケーブルの数と同じ数になるように分けた状態で入力するための複数の端子と、前記複数のケーブルのそれぞれを接続するための複数の出力端子とについて、前記複数の端子と前記複数の出力端子の間の接続関係を切り替えることで、前記並べ替えを行うことを特徴とする請求項１に記載のＡＶ機器。
【請求項１１】
前記並替部は、前記複数のケーブルで伝送されるそれぞれの映像信号が示す映像に対する配列を示す情報を、前記表示装置から受信し、受信した前記配列を示す情報が前記所定の配列になるように、前記並べ替えを行うことを特徴とする請求項１０に記載のＡＶ機器。
【請求項１２】
前記複数のケーブルから、前記分割表示領域でそれぞれ異なる色を有するテスト画像を表示するための映像信号を伝送し、
前記並替部は、前記複数のケーブルからそれぞれ前記表示装置に伝送された映像信号に対して前記表示装置側で検出された色の検出結果を、前記表示装置から受信し、受信した検出結果が示す色の配列が前記所定の配列となるように、前記並べ替えを行うことを特徴とする請求項１０に記載のＡＶ機器。
【請求項１３】
前記表示パネルは、タッチパネルであり、前記複数のケーブルで前記表示装置側に伝送されたそれぞれの映像信号が示す映像について、前記タッチパネルに表示させた状態で、前記所定の配列になるようなユーザによる映像入れ替え操作を前記タッチパネルで受け付け可能に構成されており、
前記並替部は、前記タッチパネルで受け付けた映像入れ替え操作を示す情報を、前記表示装置から受信し、受信した映像入れ替え操作を示す情報に従い、前記並べ替えを行うことを特徴とする請求項１０に記載のＡＶ機器。
【請求項１４】
前記ケーブルはＨＤＭＩケーブルであり、前記出力端子はＨＤＭＩ出力端子であることを特徴とする請求項１０〜１３のいずれか１項に記載のＡＶ機器。
【請求項１５】
前記ケーブルはＨＤＭＩケーブルであり、前記出力端子はＨＤＭＩ出力端子であり、
前記並替部は、前記複数のケーブルで伝送されるそれぞれの映像信号が示す映像に対する配列を示す情報を、ＨＤＭＩ規格におけるＣＥＣ又はＨＥＣのメッセージにより前記表示装置から受信し、受信した前記配列を示す情報が前記所定の配列になるように、前記並べ替えを行うことを特徴とする請求項１０に記載のＡＶ機器。
【請求項１６】
前記配列を示す情報は、前記ソース機器が前記表示装置に対してＣＥＣコマンド＜Vendor Specific Commands＞を用いて要求することにより、前記表示装置から受信することを特徴とする請求項１５に記載のＡＶ機器。
【請求項１７】
前記ケーブルはＨＤＭＩケーブルであり、前記出力端子はＨＤＭＩ出力端子であり、
前記複数のケーブルから、前記分割表示領域でそれぞれ異なる色を有するテスト画像を表示するための映像信号を伝送し、
前記並替部は、前記複数のケーブルからそれぞれ前記表示装置に伝送された映像信号に対して前記表示装置側で検出された色の検出結果を、ＨＤＭＩ規格におけるＣＥＣ又はＨＥＣのメッセージにより前記表示装置から受信し、受信した検出結果が示す色の配列が前記所定の配列となるように、前記並べ替えを行うことを特徴とする請求項１０に記載のＡＶ機器。
【請求項１８】
前記ケーブルはＨＤＭＩケーブルであり、前記出力端子はＨＤＭＩ出力端子であり、
前記表示パネルは、タッチパネルであり、前記複数のケーブルで前記表示装置側に伝送されたそれぞれの映像信号が示す映像について、前記タッチパネルに表示させた状態で、前記所定の配列になるようなユーザによる映像入れ替え操作を前記タッチパネルで受け付け可能に構成されており、
前記並替部は、前記タッチパネルで受け付けた映像入れ替え操作を示す情報を、ＨＤＭＩ規格におけるＣＥＣ又はＨＥＣのメッセージにより前記表示装置から受信し、受信した映像入れ替え操作を示す情報に従い、前記並べ替えを行うことを特徴とする請求項１０に記載のＡＶ機器。
【請求項１９】
前記並替部は、ＣＥＣコマンド＜Routing Control＞を用いて、前記並べ替えを行うことを特徴とする請求項１５〜１８のいずれか１項に記載のＡＶ機器。
【請求項２０】
前記ケーブルはＨＤＭＩケーブルであり、前記出力端子はＨＤＭＩ出力端子であり、
前記ソース機器は、ＣＥＣ未対応の機器であり、
前記並替部は、ＥＤＩＤに含まれる情報に基づき、前記複数のケーブルで接続された接続先が同一の表示装置であるか否かを判定し、同一の表示装置である場合にのみ、ＥＤＩＤに含まれるＣＥＣ物理アドレスを参照して該ＣＥＣ物理アドレスの順番になるように、前記並べ替えを行うことを特徴とする請求項１０に記載のＡＶ機器。
【発明の詳細な説明】
【技術分野】
【０００１】
本発明は、ＡＶ（Audio Visual）機器に関し、より詳細には、表示パネルを備えケーブルからの映像入力が可能な表示装置、若しくはケーブルを介して表示装置に映像出力することが可能なソース機器に関する。
【背景技術】
【０００２】
現在、表示装置としては、画素数が１９２０×１０８０の所謂ＨＤ（High Definition）が主流となっている。一方で、より高精細な表示装置の需要も高まっており、４Ｋ２Ｋの映像や、ＨＤの１６倍の画素数（７６８０×４３２０画素）をもつスーパーハイビジョン映像を表示するためのテレビ装置の開発も盛んになってきている。なお、４Ｋ２Ｋとは、デジタルシネマの標準規格で定められている４Ｋ（４０９６×２１６０画素）や、ＨＤの４倍の画素数（３８４０×２１６０画素）を持つＱＦＨＤ（Quad Full High Definition）を指す。
【０００３】
また、表示装置では、外部のソース機器とＨＤＭＩ（High-Definition Multimedia Interface）（登録商標、以下同様）ケーブルで接続することで、そのソース機器から映像信号を入力し、表示させることが可能となっている。しかし、現状のＨＤＭＩ規格は基本的にＨＤ以下の解像度の映像を表示することを前提としている。より具体的には、１本のＨＤＭＩケーブルでスーパーハイビジョンの映像を伝送して再生させることは、最新のＨＤＭＩ規格であるＨＤＭＩバージョン１．４ではできない。また、ＨＤＭＩバージョン１．４では、４Ｋ２Ｋの映像について、３８４０×２１６０画素及び３０Ｈｚ／２５Ｈｚ／２４Ｈｚのフォーマット、若しくは４０９６×２１６０画素及び２４Ｈｚのフォーマットに対応しているが、６０Ｈｚには対応していない。従って、１本のＨＤＭＩケーブルを用い、例えばパーソナルコンピュータ（ＰＣ）などで４Ｋ２Ｋの映像に設定してウィンドウにおいて６０Ｈｚの映像を再生しようとすると、駒落ちが発生してスムーズさに欠けることになる。
【０００４】
このように、１本のＨＤＭＩケーブルを用いて４Ｋ２Ｋやスーパーハイビジョンの映像をソース機器から読み出して再生することは基本的にできず、そのような再生のためには、複数本のＨＤＭＩケーブルでの接続が必要となる。例えば、４Ｋ２Ｋの映像を表示する表示装置ではＨＤＭＩケーブルが４本必要となり、スーパーハイビジョンの映像を表示する表示装置ではＨＤＭＩケーブルが１６本必要となり、高精細な表示装置ほど、接続に必要なＨＤＭＩケーブルの数が非常に多くなってしまう。その他、複数のソース機器からの複数の映像信号によるマルチ画面表示が可能な表示装置についても、接続に必要なＨＤＭＩケーブルの数が非常に多くなってしまう。
【０００５】
ここで、ＨＤＭＩケーブルを正しく接続しないと、分割表示領域に表示させる映像同士が一部又は全部入れ替わったような映像、つまり表示画面の一部又は全部がずれたような映像が表示されることになるため、接続には取扱説明書を熟読しながら行うなど細心の注意をはらう必要がある。無論、より高速なケーブルの規格ができれば、このような問題は解消されるが当面、ＨＤＭＩケーブルでの接続が主力となる。
【０００６】
特許文献１には、複数のディスプレイを接続し、高解像度な１台のディスプレイに見せるディスプレイシステムが開示されている。このディスプレイシステムでは、複数のディスプレイをディスプレイ共用ボックスに接続し、ＰＣ本体に専用ボードを差し、そのディスプレイ共用ボックスを接続している。そして、専用ボードはＰＣ本体のＯＳ（Operating System）に複数のディスプレイを１台のディスプレイのように見せると共にＯＳからの情報をディスプレイ共用ボックスに通知し、ディスプレイ共用ボックスはＯＳの情報をどのディスプレイに表示するかを判断し、各ディスプレイにそれぞれデータを渡すようにしている。
【先行技術文献】
【特許文献】
【０００７】
【特許文献１】特開平９−２９２８６８号公報
【発明の概要】
【発明が解決しようとする課題】
【０００８】
上述のように、従来の技術では、ソース機器との接続に必要なＨＤＭＩケーブルの数が複数である場合、ＨＤＭＩケーブルを正しく接続しないと表示画面の一部又は全部がずれたような映像が表示されてしまうため、接続には細心の注意をはらう必要がある。
【０００９】
無論、ＨＤＭＩケーブルが４本など比較的少ない場合には、ＨＤＭＩケーブルを繋いで表示される映像を見ながら差し替え、正しい接続にすることができる。しかしながら、比較的少ないケーブル数であっても、ユーザが何の示唆もないまま適当に差し替えを行うと誤接続が連続する可能性もあり、手間がかかる。さらに、ＨＤＭＩケーブルが１６本など比較的多い場合には、手間がかかり過ぎるため、ＨＤＭＩケーブルの形状を異ならせるか、若しくはコネクタに番号を振る、若しくはコネクタを色違いにするなど、外観を異ならせるような改良が必須となる。
【００１０】
また、特許文献１に記載の技術は、複数のディスプレイのディスプレイ共用ボックスへの接続が正しくなされていることを前提としたものであり、誤接続されていた場合には同様の問題が発生する。さらに、特許文献１に記載の技術は、ＨＤＭＩコネクタの接続に関するものではない。
また、上述のような問題は、ＨＤＭＩケーブルでの接続に限らず、他の規格のケーブルでの接続においても同様に生じ得る。
【００１１】
本発明は、上述のような実状に鑑みてなされたものであり、その目的は、ソース機器との接続に複数のケーブルが必要な表示装置において、同じ外観のケーブルを用いても、ケーブルを容易に正しく接続することを可能にすることにある。
【課題を解決するための手段】
【００１２】
上記課題を解決するために、本発明の第１の技術手段は、１つの表示パネルに表示させる映像の映像信号を、複数のケーブルに分けて受信又は送信するＡＶ機器であって、前記複数のケーブルで伝送されるそれぞれの映像信号が示す映像が、前記表示パネル上で所定の配列になるように、並べ替えを行う並替部を備えたことを特徴としたものである。
【００１３】
第２の技術手段は、第１の技術手段において、前記ＡＶ機器は、前記表示パネルを備えた表示装置であり、前記表示パネルに表示させる映像の映像信号を出力するソース機器に、前記複数のケーブルで接続されており、前記並替部は、前記複数のケーブルのそれぞれを接続するための複数の入力端子と、前記表示パネルの表示領域を前記ケーブルの数と同じ数で分割してなる分割表示領域のそれぞれに映像信号を入力するための複数の端子とについて、前記複数の入力端子と前記複数の端子の間の接続関係を切り替えることで、前記並べ替えを行うことを特徴としたものである。
【００１４】
第３の技術手段は、第２の技術手段において、前記並替部は、前記複数のケーブルで伝送されるそれぞれの映像信号が示す映像に対する前記所定の配列を示す情報を、前記ソース機器から受信し、受信した前記所定の配列を示す情報に従い、前記並べ替えを行うことを特徴としたものである。
【００１５】
第４の技術手段は、第２の技術手段において、前記並替部は、前記分割表示領域でそれぞれ異なる色を有するテスト画像を表示するために前記ソース機器から伝送されたそれぞれの映像信号に対し、前記テスト画像が有する色を検出し、検出したそれぞれの色が前記所定の配列となるように、前記並べ替えを行うことを特徴としたものである。
【００１６】
第５の技術手段は、第２の技術手段において、前記表示パネルは、タッチパネルであり、前記並替部は、前記複数のケーブルで前記ソース機器から伝送されたそれぞれの映像信号が示す映像について、前記タッチパネルに表示させた状態で、前記所定の配列になるようなユーザによる映像入れ替え操作を前記タッチパネルで受け付け、受け付けた映像入れ替え操作に従い、前記並べ替えを行うことを特徴としたものである。
【００１７】
第６の技術手段は、第２〜第５のいずれか１の技術手段において、前記ケーブルはＨＤＭＩケーブルであり、前記入力端子はＨＤＭＩ入力端子であることを特徴としたものである。
【００１８】
第７の技術手段は、第２の技術手段において、前記ケーブルはＨＤＭＩケーブルであり、前記入力端子はＨＤＭＩ入力端子であり、前記並替部は、前記複数のケーブルで伝送されるそれぞれの映像信号が示す映像に対する前記所定の配列を示す情報を、ＨＤＭＩ規格におけるＣＥＣ又はＨＥＣのメッセージにより前記ソース機器から受信し、受信した前記所定の配列を示す情報に従い、前記並べ替えを行うことを特徴としたものである。
【００１９】
第８の技術手段は、第７の技術手段において、前記所定の配列を示す情報は、前記表示装置が前記ソース機器に対してＣＥＣコマンド＜Vendor Specific Commands＞を用いて要求することにより、前記ソース機器から受信することを特徴としたものである。
【００２０】
第９の技術手段は、第７の技術手段において、前記所定の配列を示す情報は、前記表示装置が前記ソース機器に対してＣＥＣコマンド＜Device OSD Name Transfer＞を用いて要求することにより、ＯＳＤ名として前記ソース機器から受信することを特徴としたものである。
【００２１】
第１０の技術手段は、第１の技術手段において、前記ＡＶ機器は、前記表示パネルに表示させる映像の映像信号を出力するソース機器であり、前記表示パネルを備えた表示装置に、前記複数のケーブルで接続されており、前記並替部は、前記表示パネルに表示させる映像の映像信号を前記ケーブルの数と同じ数になるように分けた状態で入力するための複数の端子と、前記複数のケーブルのそれぞれを接続するための複数の出力端子とについて、前記複数の端子と前記複数の出力端子の間の接続関係を切り替えることで、前記並べ替えを行うことを特徴としたものである。
【００２２】
第１１の技術手段は、第１０の技術手段において、前記並替部は、前記複数のケーブルで伝送されるそれぞれの映像信号が示す映像に対する配列を示す情報を、前記表示装置から受信し、受信した前記配列を示す情報が前記所定の配列になるように、前記並べ替えを行うことを特徴としたものである。
【００２３】
第１２の技術手段は、第１０の技術手段において、前記複数のケーブルから、前記分割表示領域でそれぞれ異なる色を有するテスト画像を表示するための映像信号を伝送し、前記並替部は、前記複数のケーブルからそれぞれ前記表示装置に伝送された映像信号に対して前記表示装置側で検出された色の検出結果を、前記表示装置から受信し、受信した検出結果が示す色の配列が前記所定の配列となるように、前記並べ替えを行うことを特徴としたものである。
【００２４】
第１３の技術手段は、第１０の技術手段において、前記表示パネルは、タッチパネルであり、前記複数のケーブルで前記表示装置側に伝送されたそれぞれの映像信号が示す映像について、前記タッチパネルに表示させた状態で、前記所定の配列になるようなユーザによる映像入れ替え操作を前記タッチパネルで受け付け可能に構成されており、前記並替部は、前記タッチパネルで受け付けた映像入れ替え操作を示す情報を、前記表示装置から受信し、受信した映像入れ替え操作を示す情報に従い、前記並べ替えを行うことを特徴としたものである。
【００２５】
第１４の技術手段は、第１０〜第１３のいずれか１の技術手段において、前記ケーブルはＨＤＭＩケーブルであり、前記出力端子はＨＤＭＩ出力端子であることを特徴としたものである。
【００２６】
第１５の技術手段は、第１０の技術手段において、前記ケーブルはＨＤＭＩケーブルであり、前記出力端子はＨＤＭＩ出力端子であり、前記並替部は、前記複数のケーブルで伝送されるそれぞれの映像信号が示す映像に対する配列を示す情報を、ＨＤＭＩ規格におけるＣＥＣ又はＨＥＣのメッセージにより前記表示装置から受信し、受信した前記配列を示す情報が前記所定の配列になるように、前記並べ替えを行うことを特徴としたものである。
【００２７】
第１６の技術手段は、第１５の技術手段において、前記配列を示す情報は、前記ソース機器が前記表示装置に対してＣＥＣコマンド＜Vendor Specific Commands＞を用いて要求することにより、前記表示装置から受信することを特徴としたものである。
【００２８】
第１７の技術手段は、第１０の技術手段において、前記ケーブルはＨＤＭＩケーブルであり、前記出力端子はＨＤＭＩ出力端子であり、前記複数のケーブルから、前記分割表示領域でそれぞれ異なる色を有するテスト画像を表示するための映像信号を伝送し、前記並替部は、前記複数のケーブルからそれぞれ前記表示装置に伝送された映像信号に対して前記表示装置側で検出された色の検出結果を、ＨＤＭＩ規格におけるＣＥＣ又はＨＥＣのメッセージにより前記表示装置から受信し、受信した検出結果が示す色の配列が前記所定の配列となるように、前記並べ替えを行うことを特徴としたものである。
【００２９】
第１８の技術手段は、第１０の技術手段において、前記ケーブルはＨＤＭＩケーブルであり、前記出力端子はＨＤＭＩ出力端子であり、前記表示パネルは、タッチパネルであり、前記複数のケーブルで前記表示装置側に伝送されたそれぞれの映像信号が示す映像について、前記タッチパネルに表示させた状態で、前記所定の配列になるようなユーザによる映像入れ替え操作を前記タッチパネルで受け付け可能に構成されており、前記並替部は、前記タッチパネルで受け付けた映像入れ替え操作を示す情報を、ＨＤＭＩ規格におけるＣＥＣ又はＨＥＣのメッセージにより前記表示装置から受信し、受信した映像入れ替え操作を示す情報に従い、前記並べ替えを行うことを特徴としたものである。
【００３０】
第１９の技術手段は、第１５〜第１８のいずれか１の技術手段において、前記並替部は、ＣＥＣコマンド＜Routing Control＞を用いて、前記並べ替えを行うことを特徴としたものである。
【００３１】
第２０の技術手段は、第１０の技術手段において、前記ケーブルはＨＤＭＩケーブルであり、前記出力端子はＨＤＭＩ出力端子であり、前記ソース機器は、ＣＥＣ未対応の機器であり、前記並替部は、ＥＤＩＤに含まれる情報に基づき、前記複数のケーブルで接続された接続先が同一の表示装置であるか否かを判定し、同一の表示装置である場合にのみ、ＥＤＩＤに含まれるＣＥＣ物理アドレスを参照して該ＣＥＣ物理アドレスの順番になるように、前記並べ替えを行うことを特徴としたものである。
【発明の効果】
【００３２】
本発明によれば、ソース機器との接続に複数のケーブルが必要な表示装置において、同じ外観のケーブルを用いても、ケーブルを容易に正しく接続することが可能になる。
【図面の簡単な説明】
【００３３】
【図１】本発明に係るＡＶ機器の接続形態の一例を示す図である。
【図２】本発明に係る表示装置の一構成例を示す機能ブロック図である。
【図３】図２の表示装置に具備される並替部の一構成例を説明するための図である。
【図４】図３の並替部による並替処理の一例を説明するためのフロー図である。
【図５】図２の表示装置に具備される並替部の他の構成例を説明するための図である。
【図６】ＨＤＭＩケーブルによりシンク機器と複数のソース機器とを接続したシステムの一例を示す図である。
【図７】図３に対応する並替部を有する表示装置とソース機器とを４本のＨＤＭＩケーブルで接続したシステムの構成例、及び、その表示装置における並替処理の一例を詳細に説明するための図である。
【図８】図２の表示装置に具備される並替部の他の構成例を説明するための図である。
【図９】図８の並替部による並替処理の一例を説明するためのフロー図である。
【図１０Ａ】図８の並替部による並替処理に用いるテスト画像の他の例を示す図である。
【図１０Ｂ】図８の並替部による並替処理に用いるテスト画像の他の例を示す図である。
【図１１】図２の表示装置に具備される並替部の他の構成例を説明するための図である。
【図１２】図１１の並替部による並替処理のトリガとなるユーザ操作の一例を説明するための図である。
【図１３】本発明に係るＡＶ機器の接続形態の一例を示す図で、図１とは異なる画面配置を説明するための図である。
【図１４】本発明に係るソース機器の一構成例を示す機能ブロック図である。
【図１５】図１４のソース機器と表示装置とを４本のＨＤＭＩケーブルで接続したシステムの構成例、及び、そのソース機器における並替処理の一例を詳細に説明するための図である。
【図１６】図１４のソース機器がＣＥＣ未対応の場合にソース機器と表示装置とを４本のＨＤＭＩケーブルで接続したシステムの構成例を説明するための図である。
【図１７】図１６のシステムにおいてソース機器が実行する並替処理の一例を説明するためのフロー図である。
【図１８】図１７の並替処理がなされた様子を示す図である。
【発明を実施するための形態】
【００３４】
以下、図面を参照しながら、ソース機器から出力された４Ｋ２Ｋの映像を表示装置で表示するシステムについて説明するが、スーパーハイビジョン等の映像を表示する表示装置やマルチ画面表示に対応した表示装置を備えたシステムについても、基本的に同様に説明でき、必要となるケーブルの数が異なり、それに応じて処理が変わるだけである。例えば、４Ｋ２Ｋの映像を２つのソース機器から入力して２画面表示する場合には、８本のＨＤＭＩケーブルが必要になる。また、本発明は、現状ではＨＤＭＩ規格での接続に最も有益であるため、ＨＤＭＩ規格を前提に以下の説明を行うが、他の規格であっても同様に適用できる。また、以下の説明では音声出力について特に説明しないが、音声信号が映像信号と関連付けられて表示装置側に入力され、映像信号と同期した状態で音声出力される。
【００３５】
図１は、本発明に係るＡＶ機器の接続形態の一例を示す図である。
本発明に係るＡＶ機器は、表示装置１００又はソース機器１０１のいずれかであり、１つの表示パネル１０に表示させる映像の映像信号を、複数のＨＤＭＩケーブルに分けて伝送（受信又は送信）する機器である。ソース機器１０１としては、例えばレコーダ機器、ディスク再生機器、ＰＣなどが該当する。この例では、４Ｋ２Ｋの映像の一画面表示を想定しているため、上記複数のＨＤＭＩケーブルとしては４本のＨＤＭＩケーブル１０２ａ〜１０２ｄが採用できる。
【００３６】
そして、上記のＡＶ機器は、その主たる特徴として次の並替部を備える。この並替部は、上記複数のＨＤＭＩケーブルで伝送されるそれぞれの映像信号が示す映像が、表示パネル１０上で所定の配列になるように、並べ替えを行う。なお、上記複数のＨＤＭＩケーブルのそれぞれでは、表示パネル１０の画面に表示させる映像を基本的に均等に分割（図１の例では４分割）した分割映像の映像信号が並列で伝送されることになる。
【００３７】
まず、本発明に係るＡＶ機器が、上記表示パネルを備えた表示装置である形態について、図２等を併せて参照しながら説明する。以下の説明でも４本のＨＤＭＩケーブルが必要な例を挙げる。図２は、本発明に係る表示装置の一構成例を示す機能ブロック図であり、各機能は１又は複数個のＬＳＩ（Large Scale Integrated Circuit）やＦＰＧＡ（Field Programmable Gate Array）で構成される。なお、以下ではＳｏＣ（System on a Chip）を用いた例を挙げているが、これに限ったものではなく、例えばその代わりにＳｉＰ（System In Package）を用いてもよい。
【００３８】
本発明に係る表示装置１００は、図１及び図２で図示したように表示パネル１０を備え、表示パネル１０に表示させる映像の映像信号を出力するソース機器（図１のソース機器１０１）に、４本のＨＤＭＩケーブル（図１のケーブル１０２ａ〜１０２ｄ）で接続されている。
【００３９】
図２で例示する表示装置１００は、４Ｋ２Ｋ映像を表示する表示パネル１０に加えて、制御部１、ＯＳＤ（On Screen Display）処理部２、ＯＳＤ変換部３、４つのＨＤＭＩ入力端子４ａ〜４ｄ、マルチウィンドウ制御部５、アップスケーリング部６、画質補正部７、ＦＲＣ（Frame Rate Control）部８、及びタイミング生成部９を備える。
【００４０】
制御部１は、メインのＳｏＣ１１を有すると共に、映像入力インターフェースとして、ＵＳＢ（Universal Serial Bus）（登録商標、以下同様）ケーブルを接続するためのＵＳＢ端子１２、ＬＡＮ接続するためのＥｔｈｅｒｎｅｔ（登録商標、以下同様）接続端子１３、ＷｉＦｉ（登録商標、以下同様）対応機器との通信を行うためのＷｉＦｉ通信機器１４、ＨＤＭＩ入力端子１５、放送波を受信して復調するチューナ１６、及びＳＡＴＡ（Serial AT Attachment）インターフェース１７などを備える。
【００４１】
ＳＡＴＡインターフェース１７は、ＢＤ（Blu-ray Disc）やＤＶＤ（Digital Versatile Disc）などの可搬記録媒体の読み取り装置（図示せず）を接続するためのインターフェースの一例である。ＨＤＭＩ入力端子１５は、４Ｋ２Ｋ用の４つのＨＤＭＩ入力端子４ａ〜４ｄとは別に、フルＨＤ（ＦＨＤ）の映像をＨＤＭＩケーブルから入力するための端子である。ＨＤＭＩ入力端子４ａ〜４ｄやＨＤＭＩ入力端子１５は、ＣＥＣ（Consumer Electronics Control）メッセージだけでなく、ＨＤＭＩ規格のＨＥＣ（HDMI Ethernet Channel）メッセージの送受も可能となっていること、つまりＨＤＭＩバージョン１．４以降に対応していることが好ましい。
【００４２】
制御部１は、ＳｏＣ１１が主体となり、操作信号やデフォルトの映像入力設定（前回電源オフ前に入力していた映像など）等に従い、映像入力インターフェースのいずれかからＦＨＤの映像信号を入力し、マルチウィンドウ制御部５に出力する処理を行う。なお、操作信号は、図示しないが、表示装置１００本体に設けられた操作部で受け付けた操作信号や、表示装置１００用のリモートコントローラから受信した操作信号が該当する。
【００４３】
ＯＳＤ処理部２は、サブのＳｏＣ２１を有し、ＦＨＤ用のＯＳＤ画像を生成する。ＯＳＤ画像の生成自体は、図示しないメモリに記憶された文字や図形を利用するなど既知の技術を利用すればよい。ＯＳＤ処理部２は、例えば所謂、ＲＳ２３２Ｃやその改訂版の規格に準じ、シリアル通信方式で制御部１との通信が可能となっており、制御部１のＳｏＣ１１により制御される。なお、映像入力インターフェースのいずれか１又は複数は、ＳｏＣ２１側に接続され、ＳｏＣ２１の制御により映像入力を行って、ＲＳ２３２Ｃを介したＳｏＣ１１の制御によりマルチウィンドウ制御部５に映像信号を送信するように構成してもよい。また、ＳｏＣ２１は、４Ｋ２Ｋの映像に関する制御全体を担うように構成してもよい。
【００４４】
ＯＳＤ変換部３は、ＳｏＣ２１から出力されたＦＨＤのＯＳＤ画像を変換し、画質補正部７に送る。ＯＳＤ画像の変換方法としては、ＦＨＤのＯＳＤ画像をスケーリングして４Ｋ２Ｋ用のＯＳＤ画像に変換するか、若しくは、４Ｋ２Ｋの画像の１／４を４回送信し、これをメモリして４Ｋ２ＫのＯＳＤ画像に変換すればよい。なお、ＯＳＤ変換部３をＯＳＤ処理部２と別に設けているが、ＯＳＤ変換部３を設けずに、最初から４Ｋ２Ｋ用のＯＳＤ画像をＯＳＤ処理部２で生成して、画質補正部７に出力するように構成してもよい。
【００４５】
マルチウィンドウ制御部５は、制御部１からＦＨＤの映像を入力すること、並びにＨＤＭＩ入力端子４ａ〜４ｄからネイティブの４Ｋ２Ｋの映像を入力することが可能となっており、操作信号やデフォルトの映像入力設定に従い、複数のＦＨＤ映像や４Ｋ２Ｋ映像のマルチウィンドウ合成処理（マルチ画面表示のための合成処理）を行うと共に、各ウィンドウに対応する映像信号の同期化を行う。よって、マルチウィンドウ制御部５は、制御部１における複数の映像入力インターフェースからの映像入力によりマルチウィンドウを合成して１つのＦＨＤ映像を構成する制御（若しくは４つのＦＨＤ映像から４Ｋ２Ｋ映像を構成する制御）や、ＨＤＭＩ入力端子４ａ〜４ｄから並列して入力された４Ｋ２Ｋ用の１／４の映像を合成して４Ｋ２Ｋ映像を構成する制御も行う。また、マルチウィンドウ制御部５では、マルチウィンドウ合成処理を行わずに、制御部１からの１つのＦＨＤ映像を後段に出力することもできる。
【００４６】
アップスケーリング部６は、マルチウィンドウ制御部５から出力されたＦＨＤ映像に対し、４Ｋ２Ｋ用の表示パネル１０での表示のためにアップスケーリングを行い、後段に出力する。マルチウィンドウ制御部５から４Ｋ２Ｋ映像が出力されてきた場合には、アップスケーリング部６は処理を行わずに後段に出力すればよい。
【００４７】
画質補正部７は、アップスケーリング部６から入力された４Ｋ２Ｋ映像に対して、ガンマやユーザ調整に応じた補正などを行うと共に、ＯＳＤ変換部３から出力されたＯＳＤ画像の重畳も行う。なお、画質補正部７では、ＯＳＤ画像を重畳した後の映像に対して補正を施すようにしてもよい。
【００４８】
ＦＲＣ部８は、画質補正部７から出力された映像フレームをｋ倍速に変換して、タイミング生成部９に出力する。ここで、ｋは正の整数に限らず、正の実数であればよい。無論、ＦＲＣ部８は設けなくても画質補正部７から出力されたままの映像フレームをタイミング生成部９に出力してもよい。タイミング生成部９は、４Ｋ２Ｋ用の表示パネル１０に対してのタイミングをとるためのパルスを生成するブロックであり、所謂、ＴＣＯＮ（Timing Controller）である。表示パネル１０では、このパルスに従い、４Ｋ２Ｋ映像を表示する。表示パネル１０としては、液晶や有機ＥＬなどの表示素子で構成されたパネルを用いることができるが、これに限ったものではない。
【００４９】
表示装置１００は、上記並替部としてマルチウィンドウ制御部５に並替部５１を備える。この並替部５１は、４つのＨＤＭＩ入力端子４ａ〜４ｄと後述の４つの端子の間の接続関係、つまり全てが１対１で接続されることを前提としどのＨＤＭＩ入力端子にどの端子を接続するかを示す接続の対応関係（配線）を切り替える（変更する）ことで、並べ替えを行う。切り替えのためにはスイッチを設けておけばよい。
【００５０】
上記４つのＨＤＭＩ入力端子４ａ〜４ｄとは、４本のＨＤＭＩケーブル（図１のケーブル１０２ａ〜１０２ｄ）のそれぞれを接続するためのＨＤＭＩ入力端子であり、図２で例示したようにＨＤＭＩケーブルの本数に対応した数だけ設けられていればよい。また、上記４つの端子とは、表示パネル１０の表示領域をＨＤＭＩケーブルの数と同じ数（この例では４つ）で分割してなる分割表示領域のそれぞれに映像信号（４本のＨＤＭＩケーブルのそれぞれを介して受信した映像信号）を入力するための複数の端子の例である。この端子の数もＨＤＭＩケーブルの本数に対応した数だけ設けられている。
【００５１】
そして、上述の並べ替えとは、上述したように、４本のＨＤＭＩケーブルで伝送されるそれぞれの映像信号が示す映像が、表示パネル１０上で所定の配列（基本的に、ソース機器で出力対象となった元の４Ｋ２Ｋ映像と同じ配列）になるような並べ替えを指す。このような並べ替えにより、ＨＤＭＩ入力端子４ａ〜４ｄからの１／４の映像を４つ、所定の配列で並べ替えて合成した４Ｋ２Ｋ映像を、表示パネル１０で表示させることができる。よって、この並替部５１は、図２で図示したようにマルチウィンドウ制御部５に具備することができる。また、並替部５１は、上述した、ＨＤＭＩ入力端子４ａ〜４ｄから並列して入力された４Ｋ２Ｋ用の１／４の映像を合成して４Ｋ２Ｋ映像を構成する制御も行う。但し、並替部５１はマルチウィンドウ制御部とは別に設けるようにしてもよい。
【００５２】
表示装置１００におけるこのような並べ替えの様々な例を、図３〜図１２を参照しながら説明する。
まず、図３を参照しながら、図２の表示装置１００に具備される並替部５１の一構成例を説明する。
【００５３】
図３で例示する並替部５１ａは、セレクタ５３ａ〜５３ｄを備える。セレクタ５３ａ〜５３ｄは、ＨＤＭＩ入力端子４ａ〜４ｄと、表示パネル１０の分割表示領域１０ａ〜１０ｄの表示素子群に映像を入力するための端子との間の接続関係を切り替えるためのスイッチである。セレクタ５３ａ〜５３ｄは、入力側にＨＤＭＩ入力端子４ａ〜４ｄの全てが接続され、ＨＤＭＩ入力端子４ａ〜４ｄからの映像信号を入力することが可能に構成されており、出力側にそれぞれ分割表示領域１０ａ〜１０ｄ用の端子が接続されている。
【００５４】
また、並替部５１ａは、ＨＤＭＩ入力端子４ａ〜４ｄのＣＥＣライン又はＨＥＣラインに接続された切替制御部５２を備える。切替制御部５２は、セレクタ５３ａ〜５３ｄに接続されており、ＨＤＭＩ入力端子４ａ〜４ｄのＣＥＣライン又はＨＥＣラインから入力された情報（ＣＥＣメッセージ又はＨＥＣメッセージ）に基づき、各セレクタ５３ａ〜５３ｄでの入力を選択する制御を行う。セレクタ５３ａ〜５３ｄはこの制御に従い、映像信号の入力元をＨＤＭＩ入力端子４ａ〜４ｄの中から選択する。ＣＥＣメッセージとしてはベンダコマンドを利用すればよい。
【００５５】
ここで、上記入力された情報とは、４本のＨＤＭＩケーブルで伝送されるそれぞれの映像信号が示す映像に対する上記所定の配列を示す情報であり、４本のＨＤＭＩケーブルを介して、ＨＤＭＩ規格におけるＣＥＣメッセージ又はＨＥＣメッセージによりソース機器から受信し、デコードすることになる。なお、図３の説明に限らず以下の説明では、各ＨＤＭＩ入力端子４ａ〜４ｄには映像入力のためのＨＤＭＩレシーバだけでなく、ＣＥＣインターフェース、若しくはＣＥＣインターフェース及びＬＡＮインターフェースなどが含まれることを前提として説明するが、これらのインターフェースは並替部に設けておいてもよい。
【００５６】
そして、図３で例示した並替部５１ａは、このようにして受信した、４本のＨＤＭＩケーブルで伝送されるそれぞれの映像信号が示す映像に対する上記所定の配列を示す情報に従い、上記並べ替えを行う。例えば、４本のＨＤＭＩケーブルで伝送されるそれぞれの映像信号が示す映像に対して、上記所定の配列を示す情報としては、ソース機器側で付された表示画面位置（配列）を示す情報が挙げられる。より具体例を挙げると、縦横均等に２分割して（田の字型に）４分割で送信する場合、現在ＨＤＭＩ入力端子４ｂに接続されているＨＤＭＩケーブルを介してソース機器から出力されている映像信号に対しては、左上の映像であることを示す情報（例えばＩＤ＝１）を付しておけばよい。同様に、現在ＨＤＭＩ入力端子４ａ，４ｃ，４ｄに接続されているＨＤＭＩケーブルを介してソース機器から出力されている映像信号に対しては、それぞれ右上の映像であることを示す情報（例えばＩＤ＝２）、左下の映像であることを示す情報（例えばＩＤ＝３）、右下の映像であることを示す情報（例えばＩＤ＝４）を付しておけばよい。
【００５７】
この例の場合、ＨＤＭＩ入力端子４ｂからＩＤ＝１に対応するＨＤＭＩ入力Ａの映像が入力され、ＨＤＭＩ入力端子４ａからＩＤ＝２に対応するＨＤＭＩ入力Ｂの映像が入力され、ＨＤＭＩ入力端子４ｃからＩＤ＝３に対応するＨＤＭＩ入力Ｃの映像が入力され、ＨＤＭＩ入力端子４ｄからＩＤ＝４に対応するＨＤＭＩ入力Ｄの映像が入力されている。
【００５８】
そのため、上記所定の配列として元の４Ｋ２Ｋ映像の配列になるようにするためには、切替制御部５２が、セレクタ５３ａに対してＨＤＭＩ入力端子４ｂを選択して分割表示領域１０ａにＨＤＭＩ入力Ａの映像を表示させるように、つまりＩＤ＝１の映像が入力される元のＨＤＭＩ入力端子を分割表示領域１０ａの表示素子群の端子に接続させるような制御する。併せて、切替制御部５２は同様にして、セレクタ５３ｂに対してＨＤＭＩ入力端子４ａを選択して分割表示領域１０ｂにＨＤＭＩ入力Ｂの映像を表示させ、セレクタ５３ｃに対してＨＤＭＩ入力端子４ｃを選択して分割表示領域１０ｃにＨＤＭＩ入力Ｃの映像を表示させ、セレクタ５３ｄに対してＨＤＭＩ入力端子４ｄを選択して分割表示領域１０ｄにＨＤＭＩ入力Ｄの映像を表示させるように制御する。
【００５９】
これにより、４本のＨＤＭＩケーブルの接続先がＨＤＭＩ入力端子４ａ〜４ｄのいずれであっても、つまりユーザが適当にＨＤＭＩケーブルを差し込んでも（接続しても）、４本接続されていれば、元の４Ｋ２Ｋ映像と同じ配列に並べ替えて表示させることができる。
【００６０】
次に、図４で示すフロー図を参照しながら、図３の並替部５１ａによる並替処理の一例を説明する。ここでは、ＣＥＣメッセージにて所定の配列を示す情報を受信する例を挙げるが、ＨＥＣメッセージにて受信する場合も通信経路やデコード方法が違うだけで基本的な考え方は同じである。
【００６１】
まず、並替部５１ａの切替制御部５２は、ＨＤＭＩ入力端子４ａ〜４ｄのいずれかにおいてＣＥＣメッセージ（ＣＥＣ信号）を受信したか否かを判定する（ステップＳ１）。ステップＳ１において、切替制御部５２は、ＣＥＣ信号を受信してデコードした結果をＨＤＭＩ入力端子４ａ〜４ｄから受けたときにＹＥＳと判定してステップＳ２に進み、受けていないときには受けるまで待機しておく。なお、この判定によりＨＤＭＩ入力端子４ａ〜４ｄから映像の入力があるか否かも判定できる。
【００６２】
次に、切替制御部５２は、入力有りのＨＤＭＩ入力端子から受けたデコード後のＣＥＣ信号から、出力ポートＮｏ．を判定する（ステップＳ２）。この出力ポートＮｏ．としては、上述したＩＤが該当する。そして、切替制御部５２は、その判定結果に基づき、セレクタ５３ａ〜５３ｄのうちそのＩＤに該当する分割表示領域に対応する端子に出力するためのセレクタが、ＨＤＭＩ入力端子４ａ〜４ｄのうちステップＳ１でＣＥＣ信号を受信したＨＤＭＩ入力端子（実際にはそのＨＤＭＩ入力端子のＨＤＭＩレシーバ）からの映像信号を入力とするような選択を行うように、そのセレクタに切替指示を行う（ステップＳ３）。これにより、セレクタを経由して、ＣＥＣ信号を受信したＨＤＭＩ入力端子からの映像信号が示す映像が、そのＩＤに該当する分割表示領域に表示されるようになる。
【００６３】
ステップＳ３の処理後、切替制御部５２は、全てのＨＤＭＩ入力端子４ａ〜４ｄからＣＥＣ信号が入力されているか（つまり映像が入力されているか）否かを判定し（ステップＳ４）、ＹＥＳであればセレクタ５３ａ〜５３ｄの選択状態を保った状態で処理を終了し、ＮＯであれば図１のＯＳＤ処理部２に「未接続のケーブルがある」旨の警告をＯＳＤ表示させるように指示し（ステップＳ５）、ステップＳ１に戻る。
【００６４】
このようにしてＨＤＭＩケーブルが差される度にステップＳ２〜Ｓ４（及びステップＳ５）が実行されて、ＨＤＭＩケーブルが差されたＨＤＭＩ入力端子に上記所定の配列に合ったセレクタが接続されるよう切り替えられ、４本全てのＨＤＭＩケーブルがＨＤＭＩ入力端子４ａ〜４ｄに差された段階（ステップＳ４でＹＥＳとなった段階）では、上記所定の配列で元の４Ｋ２Ｋ映像が正しく表示パネル１０に表示されていることになる。この段階で（つまりステップＳ４でＹＥＳの場合）、並替処理を終了する。
【００６５】
図３の構成例やその処理例としての図４の処理では、図１のソース機器１０１が上述したような制御に対応する機器（つまりＩＤ等をメッセージとして送信する機器）である必要があるが、表示される画面が常に正常時の画面と同様であり（無論、全てのＨＤＭＩケーブルが差されていない段階では差された分の映像だけ正しい画面位置に表示されることになる）、他の構成例として後述するテスト画像などを用意しなくても済む。
【００６６】
また、ここで例示したような並替部５１ａによる並替処理は、基本的に電源オン中にＨＤＭＩケーブルが挿入されたときに行えばよい。表示装置１００の電源をオフする際には、セレクタ５３ａ〜５３ｄの選択を記憶しておいて、電源オン時にはそれに従って選択し表示させればよい。その際、並替処理を再実行する操作が可能なように表示装置１００を構成しておくことで、喩え電源オフ時にＨＤＭＩケーブルが抜かれ電源オフ操作時前と異なるように挿入されたとしても、この操作により並替処理を実行して正しい配列で表示させることが可能になる。若しくは、電源オン中にＨＤＭＩケーブルが挿入されたときにこの並替処理を実行すると共に、電源がオンされる度にこの並替処理を実行するように構成しておいてもよい。
【００６７】
また、図３のセレクタ５３ａ〜５３ｄは出力側を固定し入力側を選択するように構成したが、図５で例示する構成例のように入力側を固定し出力側を選択するように構成してもよい。図５で例示する並替部５１ｂは、図３の切替制御部５２と同様の切替制御部５４を有し、セレクタ５５ａ〜５５ｄには、入力側にそれぞれＨＤＭＩ入力端子４ａ〜４ｄが接続され、出力側に分割表示領域１０ａ〜１０ｄ用の端子が全て接続されている。そして、ＣＥＣメッセージ又はＨＥＣメッセージに基づく切替制御部５４からの制御により、上記所定の配列になるように各セレクタ５５ａ〜５５ｄの出力先が選択されるようになっている。
【００６８】
次に、図６及び図７を参照しながら、このようなシステムにおける並替処理の一例を詳細に説明する。図６は、ＨＤＭＩケーブルによりシンク機器と複数のソース機器とを接続したシステムの一例を示す図である。また、図７は、図３に対応する並替部を有する表示装置とソース機器とを４本のＨＤＭＩケーブルで接続したシステムの構成例、及び、その表示装置における並替処理の一例を詳細に説明するための図である。ここでも、ＣＥＣメッセージにて所定の配列を示す情報を受信する例を挙げるが、ＨＥＣメッセージにて受信する場合も通信経路やデコード方法が違うだけで基本的な考え方は同じである。
【００６９】
まず、図６を参照しながら、シンク機器とソース機器とのＨＤＭＩ接続時の一般的な動作について説明する。ＨＤＭＩケーブルにより、例えば図６に示すように、表示装置１００の下層にレコーダ２０１とリピータ機器であるＡＶアンプ２０２とを並列にＨＤＭＩ接続し、ＡＶアンプ２０２の下層にＢＤプレーヤ２０３とＤＶＤプレーヤ２０４とが並列にＨＤＭＩ接続することができる。そして、電源オン中に２台のデバイス間（表示装置１００とレコーダ２０１との間、表示装置１００とＡＶアンプ２０２との間）がＨＤＭＩケーブルで接続された場合、ホットプラグ検出（Hot-Plug-Detect）によって起動時の通信シーケンスが始まる。なお、ＢＤプレーヤ２０３とＤＶＤプレーヤ２０４については、ＡＶアンプ２０２がシンク機器となって同様の通信シーケンスが始まる。
【００７０】
このとき、ソース機器は、シンク機器に格納されているＥＤＩＤ（Extended Display Identification Data）の情報を読みにいく。この処理は、ＨＤＭＩケーブルが接続された状態でソース機器の電源がオンされた場合にも実行される。ホットプラグ検出機能により、ソース機器がシンク機器と接続された状態か切断された状態かを判別することができる。ＥＤＩＤには、シンク機器が表示装置である場合にはMonitorであることを示す情報と共に、Model name、Windows descriptionを示す情報、さらにはそのシンク機器のＨＤＭＩに関する情報として、Manufacturer、Plug and Play ID、Serial number、Manufacture date、Filter driverなどが含まれる。また、ＥＤＩＤの情報は、ソース機器とシンク機器との間でＤＤＣライン（Display Data Channel）経由で送受される。このＤＤＣラインの実体はＩ２Ｃバスで、ＨＤＭＩケーブルの中に収められている。
【００７１】
ＥＤＩＤには、情報としてＣＥＣ物理アドレスも格納されている。このＣＥＣ物理アドレスは、起動時の通信シーケンスで割り当てられ、ＥＤＩＤに書き込まれる。図６の例では、表示装置自体に（０，０，０，０）が割り当てられ、表示装置１００内の４つのＨＤＭＩ入力端子４ａ〜４ｄの接続先にはそれぞれ（１，０，０，０）、（２，０，０，０）、（３，０，０，０）、（４，０，０，０）が割り当てられる。例えば、ＨＤＭＩ入力端子４ａの接続先であるレコーダ２０１には（１，０，０，０）が割り当てられることになる。但し、ここではＨＤＭＩ入力端子４ｃ，４ｄには何も接続されていない例を挙げている。なお、ＢＤプレーヤ２０３やＤＶＤプレーヤ２０４についても同様にＡＶアンプ２０２内のＥＤＩＤの情報としてそれぞれ（２，１，０，０）、（２，２，０，０）が書き込まれることになる。なお、ＣＥＣ未対応のソース機器もシンク機器内のＥＤＩＤに書かれたＣＥＣ物理アドレスを読むことは可能である。
【００７２】
図７を参照しながら、このようにしてＣＥＣ物理アドレスが割り当てられた状態での切り替えについて説明する。ここでは、ＣＥＣ物理アドレスの割り当てがなされていることから表示装置１００は当然、ＣＥＣ対応機器とする。また、ソース機器もＣＥＣ対応機器であるものとする。
【００７３】
上記所定の配列を示す情報は、表示装置１００がソース機器１０１に対してＣＥＣコマンド＜Vendor Specific Commands＞（つまりベンダコマンド）を用いて要求して、その要求によりソース機器１０１から受信することができる。ベンダコマンドは、ベンダが任意に定義できるコマンドであり、他のＣＥＣコマンドと同様にＣＥＣメッセージ（ＣＥＣ信号）として送信される。
【００７４】
より具体的には、ベンダコマンド＜Vender Specific Commands＞として、４Ｋ２Ｋ映像のどこの位置に表示すべき映像であるか（どの位置の映像であるか）を要求するコマンド及びそれに返信するコマンドを定義しておき、表示装置１００がソース機器１０１に対してその要求を行ってソース機器１０１が返信すればよい。この例でも、４Ｋ２Ｋの映像を縦横均等に２分割して（田の字型に）４分割にした４つの映像を４本のＨＤＭＩケーブルで送る場合で説明する。なお、ＨＤＭＩ規格としては例えばバージョン１．４ａを用い、映像は６０Ｈｚで送るなどすればよい。
【００７５】
ソース機器１０１では、例えばＵＬ（左上の分割表示領域１０ａに表示すべき左上画像），ＵＲ（右上の分割表示領域１０ｂに表示すべき右上画像），ＬＬ（左下の分割表示領域１０ｃに表示すべき左下画像），ＬＲ（左下の分割表示領域１０ｄに表示すべき右下画像）といった値、若しくは左上画像、右上画像、左下画像、右下画像をそれぞれ示す１，２，３，４といった番号を、各ＨＤＭＩポート（ＨＤＭＩ入力端子）４ａ〜４ｄに返すようにしておく。図７の例では、ＨＤＭＩ入力端子４ａにＵＬ、ＨＤＭＩ入力端子４ｂにＵＲ、ＨＤＭＩ入力端子４ｃにＬＬ、ＨＤＭＩ入力端子４ｄにＬＲがそれぞれ返信された状態を表している。
【００７６】
表示装置１００では、図３の切替制御部５２（図７では省略）がこのようにして返信された値や番号を判別して、セレクタ５３ａ〜５３ｄに切替指示を行い、セレクタ５３ａ〜５３ｄが切り替えを実行する。なお、ＨＤＭＩ入力端子４ａ〜４ｄに対応する接続先のＨＤＭＩ出力端子１０１ａ〜１０１ｄには、図７で例示するようにＣＥＣ物理アドレスが割り当てられており、表示装置１００側ではその情報がＥＤＩＤに書き込まれている。切替制御部５２では、返信された値や番号と共にこのＣＥＣ物理アドレスを参照して切替指示を行えばよい。
【００７７】
他の例として、上記所定の配列を示す情報は、表示装置１００がソース機器１０１に対してＣＥＣコマンド＜Device OSD Name Transfer＞を用いて要求して、その要求によりＯＳＤ名としてソース機器から受信することもできる。このコマンドは、表示装置１００において入力切替操作を行う際に表示される機器名をソース機器側から取得するコマンドである。
【００７８】
より具体的には、表示装置１００がＣＥＣコマンド＜Device OSD Name Transfer＞によってソース機器１０１からＯＳＤ名を取得し、図３の切替制御部５２（図７では省略）がＯＳＤ名に含まれるポート名に関する情報を判別して、セレクタ５３ａ〜５３ｄに切替指示を行い、セレクタ５３ａ〜５３ｄが切り替えを実行する。そのために、ＯＳＤ名には、ポート名に関する情報を含めるようにしておく必要がある。ＯＳＤ名として、例えば機器名＿ＵＬ、機器名＿ＵＲ、機器名＿ＬＬ、機器名＿ＬＲといった情報を用いる。ＵＬ等の意味は上述した通りであり、代わりに例えば１，２，３，４といった番号を用いることもできる。図７の例では、ＨＤＭＩ入力端子４ａに機器名＿ＵＬ、ＨＤＭＩ入力端子４ａに機器名＿ＵＲ、ＨＤＭＩ入力端子４ａに機器名＿ＬＬ、ＨＤＭＩ入力端子４ａに機器名＿ＬＲがそれぞれ返信された状態を表している。
【００７９】
また、図３〜図７を参照して説明したような自動並び替えの場合には、画面出力をオフ（ミュート）した状態で並び替えを実行するように構成してもよい。これにより、ユーザに気づかれることなく並び替えを実行することができる。但し、警告が必要な場合にはその警告のＯＳＤ表示は行うようにしておけばよい。
【００８０】
次に、図８を参照しながら、図２の表示装置１００に具備される並替部５１の他の構成例を説明する。
図８で例示する並替部５１ｃは、セレクタ５８ａ〜５８ｄを備える。セレクタ５８ａ〜５８ｄは、入力側にＨＤＭＩ入力端子４ａ〜４ｄの全てがそれぞれ画素値検出部５６ａ〜５６ｄを介して接続され、ＨＤＭＩ入力端子４ａ〜４ｄからの映像信号を入力することが可能に構成されており、出力側にそれぞれ分割表示領域１０ａ〜１０ｄ用の端子が接続されている。セレクタ５８ａ〜５８ｄは、ＨＤＭＩ入力端子４ａ〜４ｄと、表示パネル１０の分割表示領域１０ａ〜１０ｄの表示素子群に映像を入力するための端子との間の接続関係を切り替えるためのスイッチである。
【００８１】
また、並替部５１ｃは、ＨＤＭＩ入力端子４ａ〜４ｄのそれぞれに対し、ＨＤＭＩ入力端子を経由して入力された映像信号が示す画素値を検出する画素値検出部５６ａ〜５６ｄを備える。画素値検出部５６ａ〜５６ｄは、画素値を検出することで、結果的にその映像信号が示す色を検出することが可能になっている。
【００８２】
また、並替部５１ｃは、画素値検出部５６ａ〜５６ｄとセレクタ５８ａ〜５８ｄとに接続された切替制御部５７を備える。切替制御部５７は、画素値検出部５６ａ〜５６ｄからそれぞれＨＤＭＩ入力端子４ａ〜４ｄを経由して入力された映像信号の色を検出した結果を受け取り、色を検出した結果に基づき、各セレクタ５８ａ〜５８ｄでの入力を選択する制御を行う。セレクタ５８ａ〜５８ｄはこの制御に従い、映像信号の入力元をＨＤＭＩ入力端子４ａ〜４ｄの中から選択する。
【００８３】
並替部５１ｃが映像信号の色に基づき並べ替えを行っていることからも分かるように、この表示装置１００にＨＤＭＩ接続されたソース機器（図１のソース機器１０１）では、４本のＨＤＭＩケーブルを介して送信する４Ｋ２Ｋ映像の映像信号として、上記分割表示領域でそれぞれ異なる色を有するテスト画像（テストパターン画像）を表示するための映像信号を送信する必要がある。この映像信号は、４本のＨＤＭＩケーブルのそれぞれを介して送信する１／４映像が４つとも異なる色を有するようなテスト画像の信号を指す。
【００８４】
そして、図８で例示した並替部５１ｃは、ソース機器から４本のＨＤＭＩケーブルを介して伝送されたそれぞれの映像信号に対し、上記テスト画像が有する色を検出し、検出したそれぞれの色が上記所定の配列となるように、並べ替えを行う。テスト画像に基づき配列が正しいかを判定して並べ替えを行うため、このテスト画像は判定対象画像と言える。また、４本のＨＤＭＩケーブルで伝送されるそれぞれの映像信号が示す映像に対して、上記所定の配列とは、元の４Ｋ２Ｋのテスト画像と同じ配列を指す。
【００８５】
具体例を挙げると、ソース機器側で送信する４Ｋ２Ｋテスト画像としては、縦横均等に２分割して（田の字型に）４分割で送信する場合、左上を赤色のベタ画像、右上を緑色のベタ画像、左下を青色のベタ画像、右下を白色のベタ画像と決めておけばよい。そして、受信側である表示装置１００で各ベタ画像の色を検出して、予め決めておいた順番に並び替えればよい。
【００８６】
ここで、ＨＤＭＩ入力端子４ａから緑色のベタ画像であるＨＤＭＩ入力Ｂの映像が入力され、ＨＤＭＩ入力端子４ｂから赤色のベタ画像であるＨＤＭＩ入力Ａの映像が入力され、ＨＤＭＩ入力端子４ｃから青色のベタ画像であるＨＤＭＩ入力Ｃの映像が入力され、ＨＤＭＩ入力端子４ｄから白色のベタ画像であるＨＤＭＩ入力Ｄの映像が入力された場合を想定する。
【００８７】
この場合、画素値検出部５６ａでは緑色、画素値検出部５６ｂでは赤色、画素値検出部５６ｃでは青色、画素値検出部５６ｄでは白色が検出され、これらの検出結果を受けた切替制御部５７が、上記所定の配列に合うように、つまり図８において表示パネル１０の各分割表示領域１０ａ，１０ｂ，１０ｃ，１０ｄがそれぞれ赤、緑、青、白色のベタ画像となるようにセレクタ５８ａ〜５８ｄを制御する。この例では分割表示領域１０ａへの入力と分割表示領域１０ｂへの入力とが逆であるため、切替制御部５７は、分割表示領域１０ｂの表示素子群の端子に接続されたセレクタ５８ｂに対しＨＤＭＩ入力端子４ａからの映像を入力するような切り替えを指示し、分割表示領域１０ａの表示素子群の端子に接続されたセレクタ５８ａに対しＨＤＭＩ入力端子４ｂからの映像を入力するような切り替えを指示する。
【００８８】
これにより、４本のＨＤＭＩケーブルの接続先がＨＤＭＩ入力端子４ａ〜４ｄのいずれであっても、つまりユーザが適当にＨＤＭＩケーブルを差しても、４本接続されていれば、元の４Ｋ２Ｋテスト画像と同じ配列に並べ替えて表示させることができ、セレクタ５８ａ〜５８ｄでの選択を保持しておけば実際に視聴する４Ｋ２Ｋ映像についても同様に正しい配列で表示させることができる。
【００８９】
次に、図９で示すフロー図を参照しながら、図８の並替部５１ｃによる並替処理の一例を説明する。
まず、並替部５１ｃの切替制御部５７は、ＨＤＭＩ入力端子４ａ〜４ｄのいずれかにおいて映像が入力されたか否かを、例えば画素値検出部５６ａ〜５６ｄに映像信号が入力されたか否かに基づき判定する（ステップＳ１１）。切替制御部５７は、入力があった場合（ＹＥＳの場合）にステップＳ１２に進み、入力がない場合（ＮＯの場合）には入力があるまで待機しておく。ステップＳ１２では、画素値検出部５６ａ〜５６ｄのうちで映像信号が入力された画素値検出部では、映像信号の所定位置の画素値（若しくは映像信号の平均値など）を検出し、その検出結果を切替制御部５７に出力する。検出結果は画素値として得られ、その画素値は色を表していると言える。
【００９０】
なお、ステップＳ１１に関し、切替制御部５７は、ＨＤＭＩ入力端子４ａ〜４ｄのいずれかにおいてＣＥＣメッセージ（ＣＥＣ信号）又はＨＥＣメッセージ（ＨＥＣ信号）を受信したか否かを判定することでも、ＨＤＭＩ入力端子４ａ〜４ｄからの映像入力の有無を判定でき、その場合、ステップＳ１２では切替制御部５７が画素値検出部５６ａ〜５６ｄに検出を指示しその結果を得るようにしておけばよい。
【００９１】
次に、切替制御部５７は、ステップＳ１２での検出結果（色）に基づき、セレクタ５８ａ〜５８ｄのうちその色に該当する分割表示領域に対応する端子に出力するためのセレクタが、ＨＤＭＩ入力端子４ａ〜４ｄのうちステップＳ１１で入力有りと判定されたＨＤＭＩ入力端子（実際にはそのＨＤＭＩ入力端子のＨＤＭＩレシーバ）からの映像信号を入力とするような選択を行うように、そのセレクタに切替指示を行う（ステップＳ１３）。これにより、セレクタを経由して、ＨＤＭＩ入力端子からの映像信号が示す映像が、その色に該当する分割表示領域に表示されるようになる。より具体的には、ステップＳ１３では、後述のステップＳ１４によるループ処理により、所定の配列（赤色であれば左上、緑色であれば右上、青色であれば左下、白色であれば右下）になるように、セレクタ５８ａ〜５８ｄに指示し、並び替えを行うことになる。
【００９２】
ステップＳ１３の処理後、切替制御部５７は、全てのＨＤＭＩ入力端子４ａ〜４ｄから映像が入力されているか否かを判定し（ステップＳ１４）、ＹＥＳであればセレクタ５８ａ〜５８ｄの選択状態を保った状態で処理を終了し、ＮＯであれば図１のＯＳＤ処理部２に「未接続のケーブルがある」旨の警告をＯＳＤ表示させるように指示し（ステップＳ１５）、ステップＳ１１に戻る。
【００９３】
このようにしてＨＤＭＩケーブルが差される度にステップＳ１２〜Ｓ１４（及びステップＳ１５）が実行されて、ＨＤＭＩケーブルが差されたＨＤＭＩ入力端子に上記所定の配列に合ったセレクタが接続されるよう切り替えられ、４本全てのＨＤＭＩケーブルがＨＤＭＩ入力端子４ａ〜４ｄに差された段階（ステップＳ１４でＹＥＳとなった段階）では、上記所定の配列で元の４Ｋ２Ｋテスト画像が正しく表示パネル１０に表示されていることになる。この段階で（つまりステップＳ１４でＹＥＳの場合）、並替処理を終了する。
【００９４】
また、ここで例示したような並替部５１ｃによる並替処理も、図３の並替部５１ａと同様に基本的に電源オン中にＨＤＭＩケーブルが挿入されたときに行えばよく、他の応用例についても同様である。但し、ソース機器が、表示装置１００で並べ替えを実行する際に表示装置１００に対してテスト画像の自動送信を行うように構成されている場合に限る。
【００９５】
このように、図８の構成例やその処理例としての図９の処理では、表示装置１００が上述したような制御を行う装置であるだけでなく、図１のソース機器１０１が上述したような制御に対応する機器、つまり表示装置１００で並べ替えを実行する際にテスト画像を自動送信するように構成されている機器であることが望ましい。
【００９６】
しかし、ソース機器１０１は、このような対応機器に限ったものではない。例えば、ソース機器１０１において、テスト画像を読み出し可能に格納したＢＤやＤＶＤ等のディスクを装着し、そのテスト画像を読み出すユーザ操作を行うことで、テスト画像の表示装置１００への入力は可能である。また、ソース機器１０１において、搭載されたハードディスクドライブ（ＨＤＤ）にファイルとして格納されているテスト画像を読み出すようなユーザ操作や、ネットワークを介してサーバ装置などにファイルとして格納されているテスト画像を読み出すようなユーザ操作を行うことでも、テスト画像の表示装置１００への入力は可能である。
【００９７】
いずれの方法でユーザ操作を行う場合でも、表示装置１００の電源オン中にユーザがＨＤＭＩケーブルの挿入を完了したときに、若しくはユーザがＨＤＭＩケーブルの挿入を完了してから表示装置１００の電源をオンしたときに、このユーザ操作をソース機器１０１に対して実行すればよい。そして、このユーザ操作を受けたソース機器１０１では、並替処理を実行するためのＣＥＣメッセージ又はＨＥＣメッセージを表示装置１００に送出し、それを表示装置１００が検出することで並替処理を実行すればよい。若しくはこのユーザ操作を行った後に表示装置１００側で並替処理を実行するための所定のユーザ操作を行うことでも、並替処理を実行できる。
【００９８】
次に、図１０Ａ，図１０Ｂを参照しながら、図８の並替部５１ｃによる並替処理に用いるテスト画像の他の２例を説明する。
図８の例では、ベタ画像の色によりソース機器における入力元の画像位置を検出（識別）した例を挙げた。しかし、テスト画像としては、表示パネル１０に表示したときに各分割表示領域に対応する画像の両端（上下端及び／又は左右端）のみ、或いは図１０Ａで例示したように片端１０ａｌ，１０ｂｌ，１０ｃｌ，１０ｄｌのみ、或いは図１０Ｂで例示したように隅１０ａｃ，１０ｂｃ，１０ｃｃ，１０ｄｃのみなどに識別するための色をのせるだけでもよい。
【００９９】
テスト画像がこのような位置で定義されていた場合、画素値検出部５６ａ〜５６ｄでは、予め定義された位置の画素値を検出して、その位置の色を検出すればよい。但し、図１０Ａの例では元の４Ｋ２Ｋテスト画像の左右端にのみに色を付け、図１０Ｂの例では元の４Ｋ２Ｋテスト画像の四隅にのみ色を付けているが、このような場合、検出の際には各１／４映像の左右端又は四隅の画素値を検出し、左右端双方の色又は四隅全ての色を判定し、画素値が黒又は白を示す以外の方を検出結果として用いればよい。好ましくは、全ての１／４映像について共通の位置（例えば左端のみ、或いは左上隅のみ）に色を付したテスト画像を用いると、各１／４映像について予め定義された位置の画素値だけを検出すれば済む。
【０１００】
また、図３のセレクタ５３ａ〜５３ｄに対して図５のセレクタ５５ａ〜５５ｄで例示したのと同様に、セレクタ５８ａ〜５８ｄは、出力側を固定し入力側を選択するように構成する代わりに、入力側を固定し出力側を選択するように構成してもよい。
【０１０１】
また、図８〜図１０Ｂを参照したような自動並べ替えの場合にも、図３〜図５を参照して説明した例と同様に、画面出力をオフ（ミュート）した状態で並び替えを実行するように構成してもよい。これにより、ユーザに気づかれることなく並び替えを実行することができる。但し、警告が必要な場合にはその警告のＯＳＤ表示は行うようにしておけばよい。
【０１０２】
次に、図１１を参照しながら、図２の表示装置１００に具備される並替部５１のさらに他の構成例を説明する。ここでは、併せて図１２も参照する。図１２は、図１１の並替部による並替処理のトリガとなるユーザ操作の一例を説明するための図である。
【０１０３】
図１１の構成例では、表示パネル１０はタッチパネルであることを前提とする。タッチパネルは表示部と位置入力センサとを備えるパネルであり、位置入力センサの配設方法やセンシング方法については既存の様々な技術が適用できる。
【０１０４】
図１１で例示する並替部５１ｄは、セレクタ５９ａ〜５９ｄを備える。セレクタ５９ａ〜５９ｄは、入力側にＨＤＭＩ入力端子４ａ〜４ｄの全てが接続され、ＨＤＭＩ入力端子４ａ〜４ｄからの映像信号を入力することが可能に構成されており、出力側にそれぞれ分割表示領域２２ａ〜２２ｄ用の端子が接続されている。セレクタ５９ａ〜５９ｄは、ＨＤＭＩ入力端子４ａ〜４ｄと、表示パネル（タッチパネル）１０の分割表示領域２２ａ〜２２ｄの表示素子群に映像を入力するための端子との間の接続関係を切り替えるためのスイッチである。
【０１０５】
そして、並替部５１ｄは、４本のＨＤＭＩケーブルでソース機器（図１のソース機器１０１）から伝送されたそれぞれの映像信号が示す映像について、タッチパネル１０に表示させた状態で、所定の配列になるようなユーザによる映像入れ替え操作をそのタッチパネル１０で受け付け、受け付けた映像入れ替え操作に従い（つまり上記所定の配列となるように）、並べ替えを行う。
【０１０６】
すなわち、並替部５１ｄは、この映像入れ替え操作に従い、つまりタッチパネル１０から入力された操作信号に基づき、セレクタ５９ａ〜５９ｄが映像信号の入力元をＨＤＭＩ入力端子４ａ〜４ｄの中から選択することで接続関係を切り替える。これにより、ユーザの映像入れ替え操作が合っていれば所定の配列になるように切り替えることができる。並び替え後は、セレクタ５９ａ〜５９ｄの選択状態を保った状態で処理を終了する。但し、ここでの構成例では、上記所定の配列はユーザによるタッチパネル１０からの操作信号に従った配列となるため、操作の途中や操作を誤った場合には元の４Ｋ２Ｋ映像がそのまま表示されず、分割表示領域が入れ替わった状態で表示されることになる。
【０１０７】
タッチパネル１０での操作信号は、例えば図２の制御部１のＳｏＣ１１を介して並替部５１ｄに伝えればよい。但し、並替部５１ｄは、タッチパネル１０から入力された操作信号に基づき上述のような切り替えの制御を行う切替制御部を内部に具備しておいてもよい。
【０１０８】
このような映像入れ替え操作及び並替処理について、テスト画像をソース機器（図１のソース機器１０１）から出力する例を挙げて具体的に説明する。このソース機器１０１では、４本のＨＤＭＩケーブルを介して送信する４Ｋ２Ｋ映像の映像信号として、分割表示領域２２ａ〜２２ｄでそれぞれ異なる色を有するテスト画像を表示するための映像信号を送信する。この映像信号は、図８を参照しながら説明した通り、４本のＨＤＭＩケーブルのそれぞれを介して送信する１／４映像が４つとも異なる色を有するようなテスト画像の信号を指す。また、４本のＨＤＭＩケーブルで伝送されるそれぞれの映像信号が示す映像に対して、上記所定の配列とは、元の４Ｋ２Ｋのテスト画像と同じ配列を指すが、上述の通り基本的にタッチパネル１０からの操作信号に従った配列を指す。
【０１０９】
具体例を挙げると、ソース機器側で送信する４Ｋ２Ｋテスト画像としては、縦横均等に２分割して（田の字型に）４分割で送信する場合、左上を赤色のベタ画像、右上を緑色のベタ画像、左下を青色のベタ画像、右下を白色のベタ画像と決めておき、それに合わせた配列で、各分割表示領域２２ａ〜２２ｄに小さい領域のベタ画像２３ａ〜２３ｄをＯＳＤ画像として表示するように予め用意しておけばよい。ＯＳＤ画像は上述したように図２のＯＳＤ処理部２が生成すればよい。
【０１１０】
ここで、ＨＤＭＩ入力端子４ａから青色のベタ画像であるＨＤＭＩ入力Ｃの映像が入力され、ＨＤＭＩ入力端子４ｂから白色のベタ画像であるＨＤＭＩ入力Ｄの映像が入力され、ＨＤＭＩ入力端子４ｃから緑色のベタ画像であるＨＤＭＩ入力Ｃの映像が入力され、ＨＤＭＩ入力端子４ｄから赤色のベタ画像であるＨＤＭＩ入力Ｄの映像が入力された場合を想定する。また、セレクタ５９ａ，５９ｂ，５９ｃ，５９ｄは、それぞれ分割表示領域２２ａ，２２ｂ，２２ｃ，２２ｄに対応する端子に接続されているものとし、また入力側は最初、それぞれＨＤＭＩ入力端子４ａ，４ｂ，４ｃ，４ｄからの映像を入力するように選択されているものとする。
【０１１１】
この場合、分割表示領域２２ａには青色のベタ画像に小さい赤色のベタ画像２３ａが重畳されて表示され、分割表示領域２２ｂには白色のベタ画像に小さい緑色のベタ画像２３ｂが重畳されて表示され、分割表示領域２２ｃには緑色のベタ画像に小さい青色のベタ画像２３ｃが重畳されて表示され、分割表示領域２２ｄには赤色のベタ画像に小さい白色のベタ画像２３ｄが重畳されて表示されることになる。
【０１１２】
上記映像入れ替え操作は、図１２でユーザの手Ｈによる操作の様子を矢印で例示したように、タッチパネル１０の分割表示領域２２ａ〜２２ｄのいずれかを選択して他の分割表示領域に移動させるようなドラッグ操作であることが好ましい。
【０１１３】
上述のように図１１のタッチパネル１０上では分割表示領域２２ａに入力されて表示されるべき映像（ここでは１／４テスト画像）が分割表示領域２２ｄに入力されて表示されているため、図１２の例では、分割表示領域２２ｄをドラッグ操作して正しい位置にもっていこうとしている。このような操作を完結すると、分割表示領域２２ａに入力されて表示されるべき映像が正しく表示されるように、セレクタ５９ａの入力元としてＨＤＭＩ入力端子４ｄが選択され、結果として分割表示領域２２ａには赤色のベタ画像に小さい同じ色（赤色）のベタ画像２３ａが重畳された状態で表示される。
【０１１４】
なお、図１２では、ユーザにより直感的に分かり易くドラッグ操作させるために、分割表示領域２２ｄが移動しているかのように赤色のベタ画像も小さい白色のベタ画像２３ｄと共に移動中のような画像を表示させている。このような表示は、赤色のベタ画像もＯＳＤ画像として生成することで実現できる。並替部５１ｄが、赤色を示す画素値をもった映像信号からその画素値を少なくとも１つＯＳＤ処理部２に渡し、ＯＳＤ処理部２がその画素値で分割画像領域と同じ大きさのベタ画像を生成し、そのベタ画像の中に小さいベタ画像２３ｄを入れ込んで、重畳するＯＳＤ画像を構成して出力することで実現できる。そして、ドラッグ中は、左下の分割表示領域２２ｄ自体にはいずれの映像も入れないようにセレクタ５９ｄを切り替えておくことで、図１２のような表示が可能となる。また、このようなＯＳＤ画像への切り替えは、ドラッグ操作が始まった段階で実行すれば余計なＯＳＤ画像の生成処理が不要となり、小さいベタ画像２３ｄのみの生成で済む。無論、図１２で例示したようなＯＳＤ画像を生成して表示する処理を施すことは必須ではない。上述のようなドラッグ操作が行われている最中でも、単に小さい白色のベタ画像２３ｄだけを移動させるようなＯＳＤ表示を行うだけでもよい。
【０１１５】
一方で、このドラッグ操作前に分割表示領域２２ａに表示されていた映像も入れ替わりで分割表示領域２２ｄに表示されるように、セレクタ５９ｄの入力元としてＨＤＭＩ入力端子４ｃが選択され、結果として分割表示領域２２ｄには青色のベタ画像に小さい白色のベタ画像２３ｄが重畳された状態で表示される。
【０１１６】
そして、このようなドラッグ操作を繰り返すことで、最終的に元の４Ｋ２Ｋテスト画像が構成される。操作の終了はタッチパネル１０や他の操作部からの所定の終了操作により行い、この終了操作を受けた段階で、並替部５１ｄはセレクタ５９ａ〜５９ｄの選択設定を保持した状態で並替処理を終了する。
【０１１７】
また、他のドラッグ操作の例として、タッチパネル１０の分割表示領域２２ａ〜２２ｄのそれぞれにＯＳＤ画像として表示した正しい配列の小さいベタ画像２３ａ〜２３ｄのうち選択されたものを、その画像が存在する分割表示領域から他の分割表示領域に移動させるようなドラッグ操作であっても構わない。このような処理では、小さいベタ画像のみをＯＳＤ表示したまま移動中であることをユーザに示せる反面、ドラッグ操作と結果が逆になる。例えば白色の正しい位置を示す画像を、白色が表示されている分割表示領域にドラッグすると、白色の正しい位置を示す画像の位置の分割表示領域の色が白色になる。
【０１１８】
また、上記映像入れ替え操作は、ドラッグ操作に限ったものではない。例えば、分割表示領域２２ａ〜２２ｄのいずれかを選択すると、移動先の選択項目を示すメニューを表示したＯＳＤ画像を表示するように構成しておき、そのＯＳＤ画像から移動先を１つ選択するような操作を行ってもよい。例えば分割表示領域２２ａを選択した場合、その位置以外の位置に移動する項目、つまり左下画面に移動、右上画面に移動、及び右下画面に移動の３つの選択項目を表示し、そのうち１つの選択項目を選択するような操作を受け付ければよい。
【０１１９】
上述のような並替処理により、４本のＨＤＭＩケーブルの接続先がＨＤＭＩ入力端子４ａ〜４ｄのいずれであっても、つまりユーザが適当にＨＤＭＩケーブルを差しても、４本接続されていれば、ドラッグ操作などの簡単な並べ替え操作により元の４Ｋ２Ｋテスト画像と同じ配列に並べ替えて表示させることができ、セレクタ５９ａ〜５９ｄでの選択を保持しておけば実際に視聴する４Ｋ２Ｋ映像についても同様に正しい配列で表示させることができる。
【０１２０】
また、ここで例示したような並替部５１ｄによる並替処理も、図８の並替部５１ｃと同様に基本的に電源オン中にＨＤＭＩケーブルが挿入されたときに行えばよく、テスト画像の送信方法を含め、他の応用例についても基本的に同様である。例えば、図１１の構成例においてテスト画像を用いるような構成においては、ソース機器が、表示装置１００で並べ替えを実行する際に表示装置１００に対してテスト画像の自動送信を行うように構成されている場合に限るため、ソース機器はこのような構成であることが好ましい。
【０１２１】
しかし、図１１の構成例でも、図８の構成例と同様にソース機器１０１はこのような対応機器に限ったものではなく、ディスクやＨＤＤやサーバ装置に格納されたテスト画像を読み出すようなユーザ操作を行うことでも、テスト画像の表示装置１００への入力は可能である。いずれの方法でユーザ操作を行う場合でも、表示装置１００の電源オン中にユーザがＨＤＭＩケーブルの挿入を完了したときに、若しくはユーザがＨＤＭＩケーブルの挿入を完了してから表示装置１００の電源をオンしたときに、このユーザ操作をソース機器１０１に対して実行すればよい。そして、このユーザ操作を受けたソース機器１０１では、並替処理を実行するためのＣＥＣメッセージ又はＨＥＣメッセージを表示装置１００に送出し、それを表示装置１００が検出することで並替処理を開始し、図１１のタッチパネル１０で例示したような表示を行って、上記映像入れ替え操作の受け付けを開始すればよい。若しくはこのユーザ操作を行った後に表示装置１００側で並替処理を実行するための所定のユーザ操作を行うことでも、同様に並替処理を開始し、図１１のタッチパネル１０で例示したような表示を行って、上記映像入れ替え操作の受け付けを開始すればよい。
【０１２２】
また、テスト画像としては、図１０Ａ，図１０Ｂを参照しながら説明したようなテスト画像を採用することもできる。この場合には、図１２で例示した分割表示領域２２ｄが移動しているかのようなＯＳＤ画像の表示のためには色を付けた部分の画素値を図２のＯＳＤ処理部２に出力すれば済む。
【０１２３】
また、図３のセレクタ５３ａ〜５３ｄに対して図５のセレクタ５５ａ〜５５ｄで例示したのと同様に、セレクタ５９ａ〜５９ｄは、出力側を固定し入力側を選択するように構成する代わりに、入力側を固定し出力側を選択するように構成してもよい。
【０１２４】
以上、図１１及び図１２を参照しながらテスト画像を用いて並べ替える方法を説明したが、テスト画像無しで通常の視聴画面（何らかのコンテンツが表示されている画面）でも、上記映像入れ替えの操作を容易に行うことができる。その場合には、小さいベタ画像２３ａ〜２３ｄのような正しい配置を示唆するＯＳＤ画像を表示する必要はない。つまり、ソース機器から伝送された映像のみを表示するだけでも、上記映像入れ替え操作が実行できる。特にＵＳＢメモリやＨＤＤなどのソース機器に内蔵又は外付けされた記憶媒体から写真画像などの静止画像を入力して表示しておくことで、上記映像入れ替え操作はその静止画像の構成を見ながら容易に実行することができる。
【０１２５】
以上、図１〜図１２を参照した例では、複数のＨＤＭＩケーブルからの映像を分割表示させる際に、表示パネル１０の画面に図１のように田の字型に４分割して表示させることを前提に説明したが、分割数がこれに限ったものではないことは勿論、分割の方法もこれに限ったものではない。例えば、図１３の表示パネル１０上での画面配置で示すように、くし形の四分割であってもよい。なお、図１３は、図１と同様、本発明に係るＡＶ機器の接続形態の一例を示す図であり、図１とは異なる画面配置を説明するための図である。
【０１２６】
以上、図１〜図１３を参照しながら説明したように、本発明に係る表示装置によれば、ソース機器との接続に複数のＨＤＭＩケーブルが必要な表示装置において、同じ外観のＨＤＭＩケーブルを用いても、自動的な並べ替え又は簡単なユーザ操作による並べ替えにより容易に、ＨＤＭＩケーブルを正しく接続することが可能になる。そして、本発明によれば、複数のＨＤＭＩケーブルでの映像伝送に対応しているため、例示した４Ｋ２Ｋやスーパーハイビジョンなど、ＦＨＤより高精細な映像をソース機器から入力して再生する処理を正しく実行することができる。このように、ＨＤＭＩの接続を表示装置１００側で自動的に又は簡単なユーザ操作により並び替えることによって、ＨＤＭＩケーブルの接続を間違えるなどしても画面出力が異常にならず正常に見られ、接続が格段に楽になる。また、ＨＤＭＩケーブルに番号を刻印したり色を変えたりするような特別な物を用意しなくてもよいため、コストが嵩まない。
【０１２７】
以上、本発明に係る並替部が表示装置側に存在する形態を挙げて説明したが、本発明は、並替部をソース機器側に設ける形態も採用できる。以下、このような形態について、つまり本発明に係るＡＶ機器がソース機器である形態について、図１４を参照しながら説明する。図１４は、本発明に係るソース機器の一構成例を示す機能ブロック図である。
【０１２８】
本発明に係るソース機器は、表示パネルに表示させる映像の映像信号を、その表示パネルを備えた表示装置に出力する機器であり、その表示装置に例えば４本のＨＤＭＩケーブルで接続されている。本発明に係るソース機器は、上述したように例えばレコーダ機器、ディスク再生機器、ＰＣなどが該当する。
【０１２９】
図１４で例示するソース機器は、図２で例示した表示装置１００の制御部１、ＯＳＤ処理部２、ＯＳＤ変換部３、マルチウィンドウ制御部５、アップスケーリング部６、画質補正部７のそれぞれと基本的に同様の処理を行うための、制御部７１、ＯＳＤ処理部７２、ＯＳＤ変換部７３、マルチウィンドウ制御部７５、アップスケーリング部７６、画質補正部７７を備える。但し、制御部７１は表示装置としての制御ではなく、ソース機器としての制御を行う。また、図１４において、ＳｏＣ７１ａは図２のＳｏＣ１１に、ＵＳＢ端子７１ｂは図２のＵＳＢ端子１２に、Ｅｔｈｅｒｎｅｔ接続端子７１ｃは図２のＥｔｈｅｒｎｅｔ接続端子１３に、ＷｉＦｉ通信機器７１ｄは図２のＷｉＦｉ通信機器１４に、ＨＤＭＩ入力端子７１ｅは図２のＨＤＭＩ入力端子１５に、チューナ７１ｆは図２のチューナ１６に、ＳＡＴＡインターフェース７１ｇは図２のＳＡＴＡインターフェース１７に、ＳｏＣ７２ａは図２のＳｏＣ２１に、それぞれ対応している。
【０１３０】
図１４で例示するソース機器は、さらに、画質補正部７７から４Ｋ２Ｋ映像を入力する並替部７８を備える。また、並替部７８は、ＨＤＭＩ出力端子８３ａ，８３ｂ，８３ｃ，８３ｄを備えるか、若しくはそれらに接続されている。さらに、並替部７８は、セレクタ８１ａ，８１ｂ，８１ｃ，８１ｄと、それらとＨＤＭＩ出力端子８３ａ，８３ｂ，８３ｃ，８３ｄとの間の接続関係を切り替える制御を行う切替制御部８２とを備える。なお、図１４ではセレクタ８１ａ，８１ｂ，８１ｃ，８１ｄとＨＤＭＩ出力端子８３ａ，８３ｂ，８３ｃ，８３ｄとの配線を図示していないが、図３や図５で例示したようにセレクタ８１ａ〜８１ｄは、出力側を固定し入力側を選択するように構成しても、入力側を固定し出力側を選択するように構成してもよい。そして、切替制御部８２は、上記接続関係をセレクタ８１ａ，８１ｂ，８１ｃ，８１ｄの入力側又は出力側を選択する制御を行うことにより切り替えを実行する。
【０１３１】
このように、切替制御部８２は、表示パネルに表示させる映像の映像信号をＨＤＭＩケーブルの数と同じ数になるように分けた状態で入力するための複数の端子（この例では、画質補正部７７からの４つの端子）と、４本のＨＤＭＩケーブルのそれぞれを接続するための４つのＨＤＭＩ出力端子８３ａ，８３ｂ，８３ｃ，８３ｄとについて、上記４つの端子と上記４つのＨＤＭＩ出力端子８３ａ，８３ｂ，８３ｃ，８３ｄの間の接続関係を切り替えることで、並べ替えを行う。この並替処理は、上述した通り、複数のＨＤＭＩケーブルで伝送されるそれぞれの映像信号が示す映像が、表示パネル上で所定の配列になるように並べ替えるものである。
【０１３２】
以下、この並替部７８の様々な構成例について簡単に説明する。
まず、図３の構成例における並替部５１ａと同様の処理をソース機器側で行うようにする構成例について説明する。この構成例における並替部７８は、４本のＨＤＭＩケーブルで伝送されるそれぞれの映像信号が示す映像に対する配列を示す情報を、ＣＥＣメッセージ又はＨＥＣメッセージにより表示装置から受信し、受信した上記配列を示す情報が上記所定の配列になるように上記並べ替えを行う。
【０１３３】
ここで、上記配列を示す情報は、４本のＨＤＭＩケーブルで伝送されるそれぞれの映像信号が示す映像に対して、上記所定の配列を示す情報として表示装置側で付された表示画面位置（配列）を示す情報であり、例えば表示画面位置を示すＩＤなどの情報が挙げられる。この情報により、ソース機器側は、例えばＨＤＭＩ出力端子８３ｂから出力されている１／４映像が表示パネルの左上に現在入力されていること及びＨＤＭＩ出力端子８３ａから出力されている１／４映像が表示パネルの右上に現在入力されていることを知り、左上に出力すべき１／４映像をＨＤＭＩ出力端子８３ａから出力し、右上に出力すべき１／４映像をＨＤＭＩ出力端子８３ａから出力するように並べ替えを行う。
【０１３４】
つまり、図３の構成例ではＩＤ等により受信側の表示装置で並べ替えを行っているのに対し、この構成例はＩＤ等により送信側のソース機器で並べ替えを行うものであり、その他、図３の構成例で説明したような応用例や効果が同様に適用できる。
【０１３５】
次に、図８の構成例における並替部５１ｃと同様の処理をソース機器側で行うようにする構成例について説明する。この構成例におけるソース機器は、４本のＨＤＭＩケーブルから、上記分割表示領域でそれぞれ異なる色を有するテスト画像を表示するための映像信号を伝送するようにしておく。そして、この構成例における並替部７８は、４本のＨＤＭＩケーブルからそれぞれ表示装置に伝送された映像信号に対して表示装置側で検出された色の検出結果を、４本のＨＤＭＩケーブルのそれぞれを介してＣＥＣメッセージ又はＨＥＣメッセージにより表示装置から受信し、受信した検出結果が示す色の配列が上記所定の配列となるように、上記並べ替えを行う。但し、上述の説明からも分かるように、この構成例では、色の検出を並替部７８で行うのではなく表示装置側で行う。よって、この構成例では、表示装置側に図８で説明したような画素値検出部５６ａ〜５６ｄを設けておく必要があり、ソース機器側には画素値検出部を設けない。
【０１３６】
この色の検出結果を示す情報により、ソース機器側は、例えばＨＤＭＩ出力端子８３ａから出力されている１／４テスト画像（青色のベタ画像）が表示パネルの左上（赤色のベタ画像が入力されるべき画面位置）に現在入力されていることなどを知る。そして、ソース機器側は、例えば青色のベタ画像が入力されるべき画面位置に現在入力されている１／４テスト画像（緑色のベタ画像）を出力しているＨＤＭＩ出力端子８３ｃの入力元（画質補正部７７からの端子の１つ）を、ＨＤＭＩ出力端子８３ａに接続して、青色のベタ画像をＨＤＭＩ出力端子８３ａから出力するように並べ替えを行う。
【０１３７】
つまり、図８の構成例ではテスト画像の色を見て受信側の表示装置で並べ替えを行っているのに対し、この構成例はテスト画像の色の検出結果を表示装置から得た送信側のソース機器が並べ替えを行うものであり、その他、図８の構成例で説明したような応用例や効果が同様に適用できる。
【０１３８】
次に、図１１の構成例における並替部５１ｄと同様の処理をソース機器側で行うようにする構成例について説明する。この構成例におけるソース機器にＨＤＭＩ接続される表示装置は、図１１の構成例と同様に、表示パネルがタッチパネルである場合で、且つ、４本のＨＤＭＩケーブルで表示装置側に伝送されたそれぞれの映像信号が示す映像について、タッチパネルに表示させた状態で、上記所定の配列になるようなユーザによる映像入れ替え操作をそのタッチパネルで受け付け可能に構成されているものとする。
【０１３９】
そして、この構成例における並替部７８は、タッチパネルで受け付けた映像入れ替え操作を示す情報を、複数のＨＤＭＩケーブルのそれぞれを介してＣＥＣメッセージ又はＨＥＣメッセージにより表示装置から受信し、受信した映像入れ替え操作を示す情報に従い、上記並べ替えを行う。
【０１４０】
この映像入れ替え操作を示す情報により、ソース機器側は、例えばＨＤＭＩ出力端子８３ａから出力されている１／４テスト画像（又は通常の１／４映像）がタッチパネルの左上から右上にドラッグされたことなどを知る。そして、ソース機器側は、例えばタッチパネルの左上、右上にそれぞれ現在出力されている１／４テスト画像（又は通常の１／４映像）を出力しているＨＤＭＩ出力端子８３ｂの入力元（画質補正部７７からの端子の１つ）、ＨＤＭＩ出力端子８３ａの入力元（画質補正部７７からの端子の１つ）を、それぞれＨＤＭＩ出力端子８３ａ、ＨＤＭＩ出力端子８３ｂに接続するように入れ替えることで、並べ替えを行う。
【０１４１】
つまり、図１１の構成例では映像入れ替え操作に従い受信側の表示装置で並べ替えを行っているのに対し、この構成例は映像入れ替え操作の操作信号を表示装置側から得た送信側のソース機器が並べ替えを行うものであり、その他、図１１の構成例で説明したような応用例や効果が同様に適用できる。
【０１４２】
次に、図１５を参照しながら、このようなシステムにおける並替処理の例を詳細に説明する。図１５は、図１４のソース機器と表示装置とを４本のＨＤＭＩケーブルで接続したシステムの構成例、及び、そのソース機器における並替処理の一例を詳細に説明するための図である。
【０１４３】
上記配列を示す情報は、ソース機器１０１が表示装置１００に対してＣＥＣコマンド＜Vendor Specific Commands＞を用いて要求して、その要求により表示装置１００から受信することができる。なお、ここでも、ＣＥＣメッセージにて所定の配列を示す情報を受信する例を挙げるが、ＨＥＣメッセージにて受信する場合も通信経路やデコード方法が違うだけで基本的な考え方は同じである。
【０１４４】
より具体的には、ベンダコマンド＜Vender Specific Commands＞として、表示装置１００の４Ｋ２Ｋ表示パネルにおいてどこの位置に表示するためのＨＤＭＩ入力端子であるか（表示画面のうちどの位置に表示させるためのＨＤＭＩ入力端子であるか）を要求するコマンド及びそれに返信するコマンドを定義しておけばよい。そして、ソース機器１０１が表示装置１００に対してその要求を行って表示装置１００が返信すればよい。この例でも、４Ｋ２Ｋの映像を縦横均等に２分割して（田の字型に）４分割にした４つの映像を４本のＨＤＭＩケーブルで送る場合で説明する。なお、ＨＤＭＩ規格としては例えばバージョン１．４ａを用い、映像は６０Ｈｚで送るなどすればよい。
【０１４５】
表示装置１００では、例えば左上の分割表示領域に対応するＨＤＭＩ入力端子４ａであればＵＬ、右上の分割表示領域に対応するＨＤＭＩ入力端子４ｂであればＵＲ、左下の分割表示領域に対応するＨＤＭＩ入力端子４ｃであればＬＬ、左下の分割表示領域に対応するＨＤＭＩ入力端子４ｄであればＬＲといった値、若しくは１，２，３，４といった番号を、各ＨＤＭＩポート（ＨＤＭＩ出力端子）８３ａ〜８３ｄに返すようにしておく。例えば、ＨＤＭＩ出力端子８３ａに対してＨＤＭＩ入力端子４ａに対応するＵＬを、ＨＤＭＩ出力端子８３ｂに対してＨＤＭＩ入力端子４ｂに対応するＵＲを、ＨＤＭＩ出力端子８３ｃに対してＨＤＭＩ入力端子４ｃに対応するＬＬを、ＨＤＭＩ出力端子８３ｄに対してＨＤＭＩ入力端子４ｄに対応するＬＲを、それぞれ返信する。
【０１４６】
ソース機器１０１では、図１４の切替制御部８２（図１５では省略）がこのようにして返信された値や番号を判別して、セレクタ８１ａ〜８１ｄに切替指示を行い、セレクタ８１ａ〜８１ｄが切り替えを実行する。切替制御部８２は、これらの返信された値や番号と共に、セレクタ８１ａ〜８１ｄに格納されたＣＥＣ物理アドレスを参照して切替指示を行えばよい。
【０１４７】
ここで、セレクタ８１ａ〜８１ｄに格納されたＣＥＣ物理アドレスについて説明する。ＨＤＭＩ入力端子４ａ〜４ｄに対応する接続先のＨＤＭＩ出力端子８３ａ〜８３ｄには、図１５で例示するようにＣＥＣ物理アドレスが割り当てられており、表示装置１００側ではその情報がＥＤＩＤに書き込まれている。さらに、各ＨＤＭＩ出力端子８３ａ〜８３ｄには、図１５で例示するように、それぞれセレクタ８１ａ〜８１ｄが接続されており、各セレクタには左上、右上、左下、右下に対応する４つのＣＥＣ物理アドレスが割り当てられＥＤＩＤの情報としてセレクタ内部に格納されている。例えばＣＥＣ物理アドレス（１，０，０，０）が割り当てられたＨＤＭＩ出力端子８３ａに接続されたセレクタ８１ａには、４つのスイッチ端子をもたせておき、左上、右上、左下、右下に対応してそれぞれ（１，１，０，０）、（１，２，０，０）、（１，３，０，０）、（１，４，０，０）のＣＥＣ物理アドレスを割り当てておけばよい。
【０１４８】
これにより、切替制御部８２は上述のような切替指示を行うことができる。これは、例えば、ソース機器１０１に仮想ＡＶアンプを４つもたせ、且つ各仮想ＡＶアンプの下層に４つの映像出力端子（４つのソース機器）を接続したような状態において、各仮想ＡＶアンプで入力切替を行うように切替指示を行う場合に相当する。よって、このような切替指示は、ＣＥＣコマンド＜Routing Control＞を用いて実行することができる。このＣＥＣコマンドは、ＣＥＣスイッチをコントロールしてＨＤＭＩネットワークの経路指定をコントロールするために使用されるコマンドであり、ＣＥＣ物理アドレスの割り振りが必要となる。並替部７８は、このコマンドをソース機器１０１の内部で使用することで、セレクタ８１ａ〜８１ｄへの入力画像を切り換えて、映像の並べ替えを行うことができる。
【０１４９】
上述のようにベンダコマンドで表示装置１００から配列を示す情報を受信する例に限らず、ＣＥＣ対応のソース機器１０１においては、並替部（図１４の並替部７８）が、上述のセレクタ内部など並替部の内部でＣＥＣ物理アドレスを割り振っておき、ＣＥＣコマンド＜Routing Control＞によって並べ替えを実行することが好ましい。
【０１５０】
なお、ここではソース機器１０１側に並替部を有する構成例を説明しているが、このような構成例において、このＣＥＣコマンド＜Routing Control＞による並べ替えの実行は、表示装置１００側からＣＥＣコマンド＜Routing Control＞をソース機器１０１に送信することで行うこともできる。但し、この場合、ソース機器１０１は切替指示の内容を一旦、表示装置１００側に伝える必要がある。
【０１５１】
以上、ソース機器１０１がＣＥＣ対応機器であることを前提に説明したが、ソース機器１０１がＣＥＣ未対応の機器である場合にも、並べ替え可能に構成することができる。ＣＥＣ未対応の機器としては、例えばソース機器がＰＣのビデオカードである場合や、ＤＶＩやＤｉｓｐｌａｙＰｏｒｔといった違う規格からＨＤＭＩへの変換アダプタを使う場合などが想定できる。
【０１５２】
図１６〜図１８を参照しながら、ソース機器１０１がＣＥＣ未対応の機器である場合の並べ替えの例について説明する。図１６は、図１４のソース機器がＣＥＣ未対応の場合にソース機器と表示装置とを４本のＨＤＭＩケーブルで接続したシステムの構成例を説明するための図で、図１７は、図１６のシステムにおいてソース機器が実行する並替処理の一例を説明するためのフロー図で、図１８は、図１７の並替処理がなされた様子を示す図である。
【０１５３】
図１等で例示したように、図１６の構成例でも４本のＨＤＭＩケーブルで表示装置１００にソース機器１０１が接続されている。図１６に示すソース機器１０１には、並替回路８１（図１４のセレクタ８１ａ〜８１ｄ及び切替制御部８２に対応する回路）が設けられている。そして、並替回路８１は、ＥＤＩＤに含まれる情報に基づき、複数のＨＤＭＩケーブルで接続された接続先が同一の表示装置であるか否かを判定し、同一の表示装置である場合にのみ、ＥＤＩＤに含まれるＣＥＣ物理アドレスを参照してそのＣＥＣ物理アドレスの順番になるように、並べ替えを行う。無論、表示装置１００側はＣＥＣ対応機器であるものとする。
【０１５４】
この処理手順について、図１７を参照しながら説明する。まず、ホットプラグ検出がなされたか否かを判定する（ステップＳ２１）。そして、ステップＳ２１でＹＥＳとなった段階で、シンク機器のメーカーをチェックする（ステップＳ２２）。ステップＳ２２では、並替回路８１が、表示装置１００から取得した各ＥＤＩＤのマニュファクチャ、model name、Plug and Play IDを参照して、同一の表示装置１００に複数のＨＤＭＩポートで接続されているか判定する。４Ｋ２Ｋ映像の出力に関係する４つのＨＤＭＩ出力端子８３ａ〜８３ｄがいずれも同一の表示装置に接続されていなければ、誤接続として以降の処理は行わない。
【０１５５】
ステップＳ２２に続き、並替回路８１は、ＥＤＩＤのＣＥＣ物理アドレスをチェックして（ステップＳ２３）、そのＣＥＣ物理アドレス順にＨＤＭＩポート１〜４（ＨＤＭＩ出力端子８３ａ〜８３ｄ）を並び替えるように切り替えを行う（ステップＳ２４）。ＣＥＣ物理アドレス順とは、表示装置１００のＨＤＭＩ入力端子４ａ〜４ｄの接続先に割り当てるＣＥＣ物理アドレスの順を指し、図１６の例で説明すると、（１，０，０，０）、（２，０，０，０）、（３，０，０，０）、（４，０，０，０）のように数字の昇順で並べ替えるようにすればよい。ここで、表示装置１００において、縦横均等に２分割して（田の字型に）４分割にする場合には、左上、右上、左下、右下の分割表示領域の順にＨＤＭＩ入力端子４ａ，４ｂ，４ｃ，４ｄがそれぞれ接続されているものとし、ＨＤＭＩ入力端子４ａ，４ｂ，４ｃ，４ｄに対応する接続先にこの順番でＣＥＣ物理アドレスを割り振るようにしておけばよい。
【０１５６】
例えば、図１８で例示したように交差してＨＤＭＩケーブルを接続し、ＨＤＭＩ入力端子４ａ，４ｂ，４ｃ，４ｄにそれぞれＨＤＭＩ出力端子８３ｄ，８３ａ，８３ｂ，８３ｃが接続されたような状態にしたとしても、並替回路８１によりＣＥＣ物理アドレス順に、左上用、右上用、左下用、右下用の映像が出力されるように、つまりＨＤＭＩ出力端子８３ａ，８３ｂ，８３ｃ，８３ｄからそれぞれ右上用、左下用、右下用、左上用の映像が出力されるように並替処理がなされる。これにより、それぞれの映像が分割表示領域１０ｂ，１０ｃ，１０ｄ，１０ａに表示され、正しい４Ｋ２Ｋ映像が視聴できるようになる。
【０１５７】
ここで、縦横均等に２分割して（田の字型に）４分割にする場合には、左上を１番目、右上を２番目、左下を３番目、右下を４番目とする例の他に、左上を１番目、左下を２番目、右上を３番目、右下を４番目とする例をはじめとして、合計２の４乗の組み合わせのマッピング方法があり、画面のマッピングが予め定められていることを前提に説明している。しかし、例えば、表示装置１００のメーカーによって違いがある場合にはＥＤＩＤのManufacturerを参照して画面のマッピングを自動で切り替えるようにしてもよい。ソース機器１０１においてメーカー毎のマッピングの情報を保存しておけば、喩えそのソース機器がＣＥＣ未対応機器であっても対応できる。
【０１５８】
以上、図１４〜図１８を参照しながら説明したように、本発明に係るソース機器によれば、そのソース機器との接続に複数のＨＤＭＩケーブルが必要な表示装置において、同じ外観のＨＤＭＩケーブルを用いても、自動的な並べ替え又は簡単なユーザ操作による並べ替えにより容易に、ＨＤＭＩケーブルを正しく接続することが可能になる。そして、本発明によれば、複数のＨＤＭＩケーブルでの映像伝送に対応しているため、例示した４Ｋ２Ｋやスーパーハイビジョンなど、ＦＨＤより高精細な映像をソース機器から入力して再生する処理を正しく実行することができる。このように、ＨＤＭＩの接続をソース機器側で自動的に又は簡単なユーザ操作により並び替えることによって、ＨＤＭＩケーブルの接続を間違えるなどしても画面出力が異常にならず正常に見られ、接続が格段に楽になる。また、ＨＤＭＩケーブルに番号を刻印したり色を変えたりするような特別な物を用意しなくてもよいため、コストが嵩まない。
【０１５９】
以上の図１〜図１８を参照した説明では、表示パネル１０の表示領域とＨＤＭＩケーブルの数とを同じ数になるようにして説明してきたが、例えばＨＤＭＩ規格の変更等によりＨＤＭＩケーブルの伝送帯域が広がる可能性などがあるため、本発明はこれに限ったものではない。例えば、表示パネル１０の表示領域がＨＤＭＩケーブルの数より多くてもよいし、逆に少なくてもよい。
【０１６０】
表示パネルの表示領域がＨＤＭＩケーブルの数より多い構成は、表示装置１００の内部で発生した映像信号を表示パネル１０の表示領域に表示するような場合に有用である。例えば、一部の表示領域のみに外部供給映像信号を表示し、他の表示領域は内部で発生させたブルーバックの映像を表示することもできる。
【０１６１】
一方、表示パネル１０の表示領域がＨＤＭＩケーブルの数より少ない構成は、表示装置１００の外部から供給される映像信号の一部を表示させ、残りの一部は表示領域の切り換え等により表示するような場合に有用である。例えば、図１の表示パネル１０の４分割した領域のうち２領域について１本のＨＤＭＩケーブルからの映像信号をズーム表示（常時拡大表示）させ、残りの２領域についてはそれぞれ別のＨＤＭＩケーブルからの映像信号を表示させることもできる。また、表示パネルの表示領域がＨＤＭＩケーブルの数より少ない場合の他の例としては、ＨＤＭＩケーブルの伝送帯域が増加することを前提とするが、１本のＨＤＭＩケーブルで供給できる映像信号が複数の表示領域に対応するような場合が挙げられる。この場合、例えば１本のＨＤＭＩケーブルで２つの表示領域分の映像信号を供給すれば、４Ｋ２Ｋ映像信号を２本のＨＤＭＩケーブルで伝送することができる。
【０１６２】
このように、図２で例示したような本発明に係る表示装置１００では、ＡＶ機器とソース機器とを複数のＨＤＭＩケーブルで接続するに際し、並替部５１が、複数のＨＤＭＩケーブルのそれぞれを接続するための複数のＨＤＭＩ入力端子と、表示パネルの表示領域をＨＤＭＩケーブルの数とは異なる所定数で分割してなる分割表示領域のそれぞれに映像信号を入力するための複数の端子とについて、上記複数のＨＤＭＩ入力端子と上記複数の端子の間の接続関係を切り替えることで、並べ替えを行うようにしてもよい。
【０１６３】
また、このように、図１４等で例示したような本発明に係るソース機器では、ＡＶ機器とソース機器とを複数のＨＤＭＩケーブルで接続するに際し、並替部が、表示パネルに表示させる映像の映像信号をＨＤＭＩケーブルの数と異なる所定数になるように分けた状態で入力するための複数の端子と、上記複数のＨＤＭＩケーブルのそれぞれを接続するための複数のＨＤＭＩ出力端子とについて、上記複数の端子と上記複数のＨＤＭＩ出力端子の間の接続関係を切り替えることで、並べ替えを行うようにしてもよい。
【０１６４】
最後に、表示装置においてマルチ画面表示を行う構成について、補足的に説明する。１台のソース機器からの映像を入力してマルチ画面表示を行う表示装置では、上述した各構成例とＨＤＭＩ端子の数が異なる点と、表示装置のマルチウィンドウ制御部又はソース機器の並替部で１つのウィンドウ毎に並替処理を行う点が、主に異なる。複数台のソース機器からの映像を入力してマルチ画面表示を行う表示装置では、上述した各構成例とＨＤＭＩ端子の数が異なる点と、表示装置のマルチウィンドウ制御部又はソース機器の並替部で１つのウィンドウ毎に各ソース機器の出力映像に対して並替処理を行う点が、主に異なる。その他の応用例や効果については、図１〜図１８を参照しながら説明した構成例と基本的に同様である。
【符号の説明】
【０１６５】
１，７１…制御部、２，７２…ＯＳＤ処理部、３，７３…ＯＳＤ変換部、４ａ，４ｂ，４ｃ，４ｄ…ＨＤＭＩ入力端子、５，７５…マルチウィンドウ制御部、６，７６…アップスケーリング部、７，７７…画質補正部、８…ＦＲＣ部、９…タイミング生成部、１０…表示パネル（タッチパネル）、１０ａ，１０ｂ，１０ｃ，１０ｄ，２２ａ，２２ｂ，２２ｃ，２２ｄ…分割表示領域、１１，７１ａ…メインのＳｏＣ、１２，７１ｂ…ＵＳＢ端子、１３，７１ｃ…Ｅｔｈｅｒｎｅｔ接続端子、１４，７１ｄ…ＷｉＦｉ通信機器、１５，７１ｅ…ＨＤＭＩ入力端子、１６，７１ｆ…チューナ、１７，７１ｇ…ＳＡＴＡインターフェース、２１，７２ａ…サブのＳｏＣ、２３ａ，２３ｂ，２３ｃ，２３ｄ…小さいベタ画像、５１ａ，５１ｂ，５１ｃ，５１ｄ，７８…並替部、５２，５４，５７，８２…切替制御部、５３ａ，５３ｂ，５３ｃ，５３ｄ，５５ａ，５５ｂ，５５ｃ，５５ｄ，５８ａ，５８ｂ，５８ｃ，５８ｄ，５９ａ，５９ｂ，５９ｃ，５９ｄ，８１ａ，８１ｂ，８１ｃ，８１ｄ…セレクタ、５６ａ，５６ｂ，５６ｃ，５６ｄ…画素値検出部、８３ａ，８３ｂ，８３ｃ，８３ｄ…ＨＤＭＩ出力端子、１００…表示装置、１０１…ソース機器、１０２ａ，１０２ｂ，１０２ｃ，１０２ｄ…ＨＤＭＩケーブル。
【図１】
2013153410.tif 000003
【図２】
2013153410.tif 000004
【図３】
2013153410.tif 000005
【図４】
2013153410.tif 000006
【図５】
2013153410.tif 000007
【図６】
2013153410.tif 000008
【図７】
2013153410.tif 000009
【図８】
2013153410.tif 000010
【図９】
2013153410.tif 000011
【図１０Ａ】
2013153410.tif 000012
【図１０Ｂ】
2013153410.tif 000013
【図１１】
2013153410.tif 000014
【図１２】
2013153410.tif 000015
【図１３】
2013153410.tif 000016
【図１４】
2013153410.tif 000017
【図１５】
2013153410.tif 000018
【図１６】
2013153410.tif 000019
【図１７】
2013153410.tif 000020
【図１８】
2013153410.tif 000021
【手続補正書】
【提出日】平成25年2月6日(2013.2.6)
【手続補正１】
【補正対象書類名】特許請求の範囲
【補正対象項目名】全文
【補正方法】変更
【補正の内容】
【特許請求の範囲】
【請求項１】
１つの表示パネルに表示させる映像の映像信号を、複数のケーブルに分けて受信又は送信するＡＶ機器であって、
前記表示パネルの表示領域を前記ケーブルの数と同じ数に分割してなる分割表示領域のそれぞれに表示させる分割映像の映像信号を、前記複数のケーブルのそれぞれで伝送し、
前記複数のケーブルで映像信号の伝送がなされる複数の前記分割映像が、前記表示パネル上で所定の配列に並ぶように、並べ替えを行う並替部を備えたことを特徴とするＡＶ機器。
【請求項２】
前記ＡＶ機器は、前記表示パネルを備えた表示装置であり、前記表示パネルに表示させる映像の映像信号を出力するソース機器に、前記複数のケーブルで接続されており、
前記並替部は、前記複数のケーブルのそれぞれを接続するための複数の入力端子と、前記分割表示領域のそれぞれに前記分割映像の映像信号を入力するための複数の端子とについて、前記複数の入力端子と前記複数の端子の間の接続関係を切り替えることで、前記並べ替えを行うことを特徴とする請求項１に記載のＡＶ機器。
【請求項３】
前記並替部は、前記複数のケーブルで映像信号の伝送がなされる複数の前記分割映像に対する前記所定の配列を示す情報を、前記ソース機器から受信し、受信した前記所定の配列を示す情報に従い、前記並べ替えを行うことを特徴とする請求項２に記載のＡＶ機器。
【請求項４】
前記並替部は、前記分割表示領域でそれぞれ異なる色を有するテスト画像を表示するために前記ソース機器から伝送されたそれぞれの映像信号に対し、前記テスト画像が有する色を検出し、検出したそれぞれの色が前記所定の配列に並ぶように、前記並べ替えを行うことを特徴とする請求項２に記載のＡＶ機器。
【請求項５】
前記表示パネルは、タッチパネルであり、
前記並替部は、前記複数のケーブルで前記ソース機器から映像信号の伝送がなされる複数の前記分割映像について、前記タッチパネルに表示させた状態で、前記所定の配列になるようなユーザによる映像入れ替え操作を前記タッチパネルで受け付け、受け付けた映像入れ替え操作に従い、前記並べ替えを行うことを特徴とする請求項２に記載のＡＶ機器。
【請求項６】
前記ケーブルはＨＤＭＩケーブルであり、前記入力端子はＨＤＭＩ入力端子であることを特徴とする請求項２〜５のいずれか１項に記載のＡＶ機器。
【請求項７】
前記ケーブルはＨＤＭＩケーブルであり、前記入力端子はＨＤＭＩ入力端子であり、
前記並替部は、前記複数のケーブルで映像信号の伝送がなされる複数の前記分割映像に対する前記所定の配列を示す情報を、ＨＤＭＩ規格におけるＣＥＣ又はＨＥＣのメッセージにより前記ソース機器から受信し、受信した前記所定の配列を示す情報に従い、前記並べ替えを行うことを特徴とする請求項２に記載のＡＶ機器。
【請求項８】
前記所定の配列を示す情報は、前記表示装置が前記ソース機器に対してＣＥＣコマンド＜Vendor Specific Commands＞を用いて要求することにより、前記ソース機器から受信することを特徴とする請求項７に記載のＡＶ機器。
【請求項９】
前記所定の配列を示す情報は、前記表示装置が前記ソース機器に対してＣＥＣコマンド＜Device OSD Name Transfer＞を用いて要求することにより、ＯＳＤ名として前記ソース機器から受信することを特徴とする請求項７に記載のＡＶ機器。
【請求項１０】
前記ＡＶ機器は、前記表示パネルに表示させる映像の映像信号を出力するソース機器であり、前記表示パネルを備えた表示装置に、前記複数のケーブルで接続されており、
前記並替部は、前記表示パネルに表示させる映像の映像信号を、該映像が前記ケーブルの数と同じ数の前記分割映像になるように分けた状態で入力するための複数の端子と、前記複数のケーブルのそれぞれを接続するための複数の出力端子とについて、前記複数の端子と前記複数の出力端子の間の接続関係を切り替えることで、前記並べ替えを行うことを特徴とする請求項１に記載のＡＶ機器。
【請求項１１】
前記並替部は、前記複数のケーブルで映像信号の伝送がなされる複数の前記分割映像に対する配列を示す情報を、前記表示装置から受信し、受信した前記情報が示す配列が前記所定の配列となるように、前記並べ替えを行うことを特徴とする請求項１０に記載のＡＶ機器。
【請求項１２】
前記複数のケーブルから、前記分割表示領域でそれぞれ異なる色を有するテスト画像を表示するための映像信号を伝送し、
前記並替部は、前記複数のケーブルからそれぞれ前記表示装置に伝送された映像信号に対して前記表示装置側で検出された色の検出結果を、前記表示装置から受信し、受信した検出結果が示す色の配列が前記所定の配列となるように、前記並べ替えを行うことを特徴とする請求項１０に記載のＡＶ機器。
【請求項１３】
前記表示パネルは、タッチパネルであり、前記複数のケーブルで前記表示装置側に映像信号の伝送がなされる複数の前記分割映像について、前記タッチパネルに表示させた状態で、前記所定の配列になるようなユーザによる映像入れ替え操作を前記タッチパネルで受け付け可能に構成されており、
前記並替部は、前記タッチパネルで受け付けた映像入れ替え操作を示す情報を、前記表示装置から受信し、受信した映像入れ替え操作を示す情報に従い、前記並べ替えを行うことを特徴とする請求項１０に記載のＡＶ機器。
【請求項１４】
前記ケーブルはＨＤＭＩケーブルであり、前記出力端子はＨＤＭＩ出力端子であることを特徴とする請求項１０〜１３のいずれか１項に記載のＡＶ機器。
【請求項１５】
前記ケーブルはＨＤＭＩケーブルであり、前記出力端子はＨＤＭＩ出力端子であり、
前記並替部は、前記複数のケーブルで映像信号の伝送がなされる複数の前記分割映像に対する配列を示す情報を、ＨＤＭＩ規格におけるＣＥＣ又はＨＥＣのメッセージにより前記表示装置から受信し、受信した前記情報が示す配列が前記所定の配列となるように、前記並べ替えを行うことを特徴とする請求項１０に記載のＡＶ機器。
【請求項１６】
前記配列を示す情報は、前記ソース機器が前記表示装置に対してＣＥＣコマンド＜Vendor Specific Commands＞を用いて要求することにより、前記表示装置から受信することを特徴とする請求項１５に記載のＡＶ機器。
【請求項１７】
前記ケーブルはＨＤＭＩケーブルであり、前記出力端子はＨＤＭＩ出力端子であり、
前記複数のケーブルから、前記分割表示領域でそれぞれ異なる色を有するテスト画像を表示するための映像信号を伝送し、
前記並替部は、前記複数のケーブルからそれぞれ前記表示装置に伝送された前記分割映像の映像信号に対して前記表示装置側で検出された色の検出結果を、ＨＤＭＩ規格におけるＣＥＣ又はＨＥＣのメッセージにより前記表示装置から受信し、受信した検出結果が示す色の配列が前記所定の配列となるように、前記並べ替えを行うことを特徴とする請求項１０に記載のＡＶ機器。
【請求項１８】
前記ケーブルはＨＤＭＩケーブルであり、前記出力端子はＨＤＭＩ出力端子であり、
前記表示パネルは、タッチパネルであり、前記複数のケーブルで前記表示装置側に映像信号の伝送がなされる複数の前記分割映像について、前記タッチパネルに表示させた状態で、前記所定の配列になるようなユーザによる映像入れ替え操作を前記タッチパネルで受け付け可能に構成されており、
前記並替部は、前記タッチパネルで受け付けた映像入れ替え操作を示す情報を、ＨＤＭＩ規格におけるＣＥＣ又はＨＥＣのメッセージにより前記表示装置から受信し、受信した映像入れ替え操作を示す情報に従い、前記並べ替えを行うことを特徴とする請求項１０に記載のＡＶ機器。
【請求項１９】
前記並替部は、ＣＥＣコマンド＜Routing Control＞を用いて、前記並べ替えを行うことを特徴とする請求項１５〜１８のいずれか１項に記載のＡＶ機器。
【請求項２０】
前記ケーブルはＨＤＭＩケーブルであり、前記出力端子はＨＤＭＩ出力端子であり、
前記ソース機器は、ＣＥＣ未対応の機器であり、
前記並替部は、ＥＤＩＤに含まれる情報に基づき、前記複数のケーブルで接続された接続先が同一の表示装置であるか否かを判定し、同一の表示装置である場合にのみ、ＥＤＩＤに含まれるＣＥＣ物理アドレスを参照して該ＣＥＣ物理アドレスの順番になるように、前記並べ替えを行うことを特徴とする請求項１０に記載のＡＶ機器。
【手続補正２】
【補正対象書類名】明細書
【補正対象項目名】００１２
【補正方法】変更
【補正の内容】
【００１２】
上記課題を解決するために、本発明の第１の技術手段は、１つの表示パネルに表示させる映像の映像信号を、複数のケーブルに分けて受信又は送信するＡＶ機器であって、前記表示パネルの表示領域を前記ケーブルの数と同じ数に分割してなる分割表示領域のそれぞれに表示させる分割映像の映像信号を、前記複数のケーブルのそれぞれで伝送し、前記複数のケーブルで映像信号の伝送がなされる複数の前記分割映像が、前記表示パネル上で所定の配列に並ぶように、並べ替えを行う並替部を備えたことを特徴としたものである。
【手続補正３】
【補正対象書類名】明細書
【補正対象項目名】００１３
【補正方法】変更
【補正の内容】
【００１３】
第２の技術手段は、第１の技術手段において、前記ＡＶ機器は、前記表示パネルを備えた表示装置であり、前記表示パネルに表示させる映像の映像信号を出力するソース機器に、前記複数のケーブルで接続されており、前記並替部は、前記複数のケーブルのそれぞれを接続するための複数の入力端子と、前記分割表示領域のそれぞれに前記分割映像の映像信号を入力するための複数の端子とについて、前記複数の入力端子と前記複数の端子の間の接続関係を切り替えることで、前記並べ替えを行うことを特徴としたものである。
【手続補正４】
【補正対象書類名】明細書
【補正対象項目名】００１４
【補正方法】変更
【補正の内容】
【００１４】
第３の技術手段は、第２の技術手段において、前記並替部は、前記複数のケーブルで映像信号の伝送がなされる複数の前記分割映像に対する前記所定の配列を示す情報を、前記ソース機器から受信し、受信した前記所定の配列を示す情報に従い、前記並べ替えを行うことを特徴としたものである。
【手続補正５】
【補正対象書類名】明細書
【補正対象項目名】００１５
【補正方法】変更
【補正の内容】
【００１５】
第４の技術手段は、第２の技術手段において、前記並替部は、前記分割表示領域でそれぞれ異なる色を有するテスト画像を表示するために前記ソース機器から伝送されたそれぞれの映像信号に対し、前記テスト画像が有する色を検出し、検出したそれぞれの色が前記所定の配列に並ぶように、前記並べ替えを行うことを特徴としたものである。
【手続補正６】
【補正対象書類名】明細書
【補正対象項目名】００１６
【補正方法】変更
【補正の内容】
【００１６】
第５の技術手段は、第２の技術手段において、前記表示パネルは、タッチパネルであり、前記並替部は、前記複数のケーブルで前記ソース機器から映像信号の伝送がなされる複数の前記分割映像について、前記タッチパネルに表示させた状態で、前記所定の配列になるようなユーザによる映像入れ替え操作を前記タッチパネルで受け付け、受け付けた映像入れ替え操作に従い、前記並べ替えを行うことを特徴としたものである。
【手続補正７】
【補正対象書類名】明細書
【補正対象項目名】００１８
【補正方法】変更
【補正の内容】
【００１８】
第７の技術手段は、第２の技術手段において、前記ケーブルはＨＤＭＩケーブルであり、前記入力端子はＨＤＭＩ入力端子であり、前記並替部は、前記複数のケーブルで映像信号の伝送がなされる複数の前記分割映像に対する前記所定の配列を示す情報を、ＨＤＭＩ規格におけるＣＥＣ又はＨＥＣのメッセージにより前記ソース機器から受信し、受信した前記所定の配列を示す情報に従い、前記並べ替えを行うことを特徴としたものである。
【手続補正８】
【補正対象書類名】明細書
【補正対象項目名】００２１
【補正方法】変更
【補正の内容】
【００２１】
第１０の技術手段は、第１の技術手段において、前記ＡＶ機器は、前記表示パネルに表示させる映像の映像信号を出力するソース機器であり、前記表示パネルを備えた表示装置に、前記複数のケーブルで接続されており、前記並替部は、前記表示パネルに表示させる映像の映像信号を、該映像が前記ケーブルの数と同じ数の前記分割映像になるように分けた状態で入力するための複数の端子と、前記複数のケーブルのそれぞれを接続するための複数の出力端子とについて、前記複数の端子と前記複数の出力端子の間の接続関係を切り替えることで、前記並べ替えを行うことを特徴としたものである。
【手続補正９】
【補正対象書類名】明細書
【補正対象項目名】００２２
【補正方法】変更
【補正の内容】
【００２２】
第１１の技術手段は、第１０の技術手段において、前記並替部は、前記複数のケーブルで映像信号の伝送がなされる複数の前記分割映像に対する配列を示す情報を、前記表示装置から受信し、受信した前記情報が示す配列が前記所定の配列となるように、前記並べ替えを行うことを特徴としたものである。
【手続補正１０】
【補正対象書類名】明細書
【補正対象項目名】００２４
【補正方法】変更
【補正の内容】
【００２４】
第１３の技術手段は、第１０の技術手段において、前記表示パネルは、タッチパネルであり、前記複数のケーブルで前記表示装置側に映像信号の伝送がなされる複数の前記分割映像について、前記タッチパネルに表示させた状態で、前記所定の配列になるようなユーザによる映像入れ替え操作を前記タッチパネルで受け付け可能に構成されており、前記並替部は、前記タッチパネルで受け付けた映像入れ替え操作を示す情報を、前記表示装置から受信し、受信した映像入れ替え操作を示す情報に従い、前記並べ替えを行うことを特徴としたものである。
【手続補正１１】
【補正対象書類名】明細書
【補正対象項目名】００２６
【補正方法】変更
【補正の内容】
【００２６】
第１５の技術手段は、第１０の技術手段において、前記ケーブルはＨＤＭＩケーブルであり、前記出力端子はＨＤＭＩ出力端子であり、前記並替部は、前記複数のケーブルで映像信号の伝送がなされる複数の前記分割映像に対する配列を示す情報を、ＨＤＭＩ規格におけるＣＥＣ又はＨＥＣのメッセージにより前記表示装置から受信し、受信した前記情報が示す配列が前記所定の配列となるように、前記並べ替えを行うことを特徴としたものである。
【手続補正１２】
【補正対象書類名】明細書
【補正対象項目名】００２８
【補正方法】変更
【補正の内容】
【００２８】
第１７の技術手段は、第１０の技術手段において、前記ケーブルはＨＤＭＩケーブルであり、前記出力端子はＨＤＭＩ出力端子であり、前記複数のケーブルから、前記分割表示領域でそれぞれ異なる色を有するテスト画像を表示するための映像信号を伝送し、前記並替部は、前記複数のケーブルからそれぞれ前記表示装置に伝送された前記分割映像の映像信号に対して前記表示装置側で検出された色の検出結果を、ＨＤＭＩ規格におけるＣＥＣ又はＨＥＣのメッセージにより前記表示装置から受信し、受信した検出結果が示す色の配列が前記所定の配列となるように、前記並べ替えを行うことを特徴としたものである。
【手続補正１３】
【補正対象書類名】明細書
【補正対象項目名】００２９
【補正方法】変更
【補正の内容】
【００２９】
第１８の技術手段は、第１０の技術手段において、前記ケーブルはＨＤＭＩケーブルであり、前記出力端子はＨＤＭＩ出力端子であり、前記表示パネルは、タッチパネルであり、前記複数のケーブルで前記表示装置側に映像信号の伝送がなされる複数の前記分割映像について、前記タッチパネルに表示させた状態で、前記所定の配列になるようなユーザによる映像入れ替え操作を前記タッチパネルで受け付け可能に構成されており、前記並替部は、前記タッチパネルで受け付けた映像入れ替え操作を示す情報を、ＨＤＭＩ規格におけるＣＥＣ又はＨＥＣのメッセージにより前記表示装置から受信し、受信した映像入れ替え操作を示す情報に従い、前記並べ替えを行うことを特徴としたものである。